(57)【要約】  共有無線周波数スペクトル帯域中のアップリンク制御チャネル送信が、アップリンク制御チャネル送信中で送信されるべきアップリンク制御情報（ＵＣＩ）のフォーマットに基づいて、異なるアップリンクリソースＵＣＩを使用して送信され得る。ＵＥによるＵＣＩの送信のための異なる時間リソース、周波数リソース、またはそれらの組合せが、基地局によって与えられ、ＵＣＩフォーマットに基づいてＵＥによって選択され得る。ＵＣＩ送信のために使用されるべきリソースは半静的に構成されるか、または動的にＵＥに示され得る。アップリンク送信は周波数リソースのインターレースにおいて構成され得、各インターレースは１つまたは複数のセグメントを有し、基地局は、異なるフォーマットＵＣＩの送信のために異なるセグメントを構成し得る。いくつかの場合には、異なるサブフレーム、または異なるコンポーネントキャリアがＵＣＩの異なるフォーマットのために構成され得る。
2019516285.tif 000002
【特許請求の範囲】
【請求項１】
ワイヤレス通信のための方法であって、
アップリンク制御チャネル送信を使用してアップリンク制御情報（ＵＣＩ）を送信するためのＵＣＩフォーマットを識別することと、
前記識別されたＵＣＩフォーマットに少なくとも部分的に基づいて、構成されたアップリンク制御チャネルリソースのセットからアップリンク制御チャネルリソースの第１のサブセットを識別することと、構成されたアップリンク制御チャネルリソースの前記セットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースの前記セットの異なるサブセットが異なるＵＣＩフォーマットに対応する、
アップリンク制御チャネルリソースの前記第１のサブセットを使用して前記ＵＣＩを通信することと
を備える、方法。
【請求項２】
構成されたアップリンク制御チャネルリソースの前記セットが、周波数リソースインターレースの第１のセットと周波数リソースインターレースセグメントの第１のセットとを備え、周波数リソースインターレースセグメントの前記第１のセットの各周波数リソースインターレースセグメントが、周波数リソースインターレースの前記第１のセットの周波数リソースインターレースのリソースの一部分を備え、
ここにおいて、アップリンク制御チャネルリソースの前記第１のサブセットを識別することが、前記識別されたＵＣＩフォーマットに少なくとも部分的に基づいて、周波数リソースインターレースセグメントの前記第１のセットの第１のサブセットを識別することを備える、請求項１に記載の方法。
【請求項３】
構成されたアップリンク制御チャネルリソースの前記セットが、複数のサブフレームのアップリンク制御チャネルリソースのサブセットを備え、異なるサブフレームのためのアップリンク制御チャネルリソースの前記サブセットが、異なるＵＣＩフォーマットのために構成され、
ここにおいて、アップリンク制御チャネルリソースの前記第１のサブセットを識別することが、前記識別されたＵＣＩフォーマットに少なくとも部分的に基づいて、第１のサブフレームのアップリンク制御チャネルリソースの第１のサブセットを識別することを備える、請求項１に記載の方法。
【請求項４】
構成されたアップリンク制御チャネルリソースの前記セットが、複数のアップリンクコンポーネントキャリアのアップリンク制御チャネルリソースのサブセットを備え、異なるコンポーネントキャリアのためのアップリンク制御チャネルリソースの前記サブセットが、異なるＵＣＩフォーマットのために構成され、
ここにおいて、アップリンク制御チャネルリソースの前記第１のサブセットを識別することが、前記識別されたＵＣＩフォーマットに少なくとも部分的に基づいて、第１のコンポーネントキャリアのアップリンク制御チャネルリソースの第１のサブセットを識別することを備える、請求項１に記載の方法。
【請求項５】
前記アップリンク制御チャネル送信のための第１のアップリンク許可を受信すること
をさらに備え、前記第１のアップリンク許可がアップリンク制御チャネルリソースの前記第１のサブセットの割振りを含み、
ここにおいて、前記ＵＣＩを通信することが、前記第１のアップリンク許可中で割り振られたアップリンク制御チャネルリソースの前記第１のサブセットを使用して前記ＵＣＩを送信することを備える、
請求項１に記載の方法。
【請求項６】
前記ＵＣＩを送信するための前記ＵＣＩフォーマットを示すシグナリングを受信すること
をさらに備え、
ここにおいて、前記ＵＣＩを通信することが、前記示されたＵＣＩフォーマットを使用して前記ＵＣＩを送信することを備える、
請求項１に記載の方法。
【請求項７】
前記シグナリングが、物理ダウンリンク制御チャネル（ＰＤＣＣＨ）シグナリング中で、またはアップリンク許可中で受信される、請求項６に記載の方法。
【請求項８】
第１のサブフレーム中で１次コンポーネントキャリアを使用して送信されるべきスケジューリング要求（ＳＲ）を識別することと、
バッファステータス報告（ＢＳＲ）が前記ＵＣＩ中に含まれ、前記第１のサブフレーム中で２次コンポーネントキャリアのアップリンク制御チャネルリソースの前記第１のサブセットを使用して送信されるべきであることを識別することに少なくとも部分的に基づいて、前記１次コンポーネントキャリアを使用する前記ＳＲの前記送信をドロップすることと
をさらに備える、請求項１に記載の方法。
【請求項９】
周期チャネル状態情報（ＣＳＩ）が前記ＵＣＩ中に含まれ、第１のサブフレーム中で送信されるべきであることを識別することと、
非周期ＣＳＩが、アップリンク制御チャネルリソースの前記第１のサブセットとは異なるリソースを使用して前記第１のサブフレーム中に送信されるべきであることを識別することと、
前記周期ＣＳＩのペイロードのサイズに少なくとも部分的に基づいて、前記ＵＣＩから前記周期ＣＳＩをドロップすることと
をさらに備える、請求項１に記載の方法。
【請求項１０】
構成されたコンポーネントキャリアの数、コンポーネントキャリア当たりのハイブリッド自動再送要求（ＨＡＲＱ）プロセスの数、またはそれらの任意の組合せに少なくとも部分的に基づいて、前記ＵＣＩ中に含まれるべきＨＡＲＱフィードバックビットの数を識別すること
をさらに備える、請求項１に記載の方法。
【請求項１１】
構成されたアップリンクリソースの前記セットが共有無線周波数スペクトル帯域中にある、請求項１に記載の方法。
【請求項１２】
ワイヤレス通信のための方法であって、
アップリンク制御チャネル送信中でアップリンク制御情報（ＵＣＩ）を送信するための複数の異なるＵＣＩフォーマットを識別することと、
前記複数の異なるＵＣＩフォーマットの各々について、アップリンク制御チャネルリソースのセットからアップリンク制御チャネルリソースの異なるサブセットを構成することと、ここにおいて、アップリンク制御チャネルリソースの各サブセットが、アップリンク制御チャネル周波数リソースのサブセット、アップリンク制御チャネル時間リソースのサブセット、またはそれらの組合せを備える、
アップリンク制御チャネルリソースの前記構成されたサブセットを１つまたは複数の受信機に通信することと
を備える、方法。
【請求項１３】
アップリンク制御チャネルリソースの各サブセットが、周波数リソースインターレースのセットと周波数リソースインターレースセグメントのセットとを備え、周波数リソースインターレースセグメントの前記セットの各周波数リソースインターレースセグメントが、周波数リソースインターレースの前記セットの周波数リソースインターレースのリソースの一部分を備える、請求項１２に記載の方法。
【請求項１４】
アップリンク制御チャネルリソースの各サブセットが、複数のサブフレームのうちの異なるサブフレームのアップリンク制御チャネルリソースのサブセットを備え、ここにおいて、アップリンク制御チャネルリソースの前記異なるサブセットを構成することが、
異なるＵＣＩフォーマットのために前記異なるサブフレームのためのアップリンク制御チャネルリソースの前記サブセットを構成すること
を備える、請求項１２に記載の方法。
【請求項１５】
アップリンク制御チャネルリソースの各サブセットが、異なるコンポーネントキャリアのアップリンク制御チャネルリソースのサブセットを備え、ここにおいて、アップリンク制御チャネルリソースの前記異なるサブセットを構成することが、
異なるＵＣＩフォーマットのために前記異なるコンポーネントキャリアのためのアップリンク制御チャネルリソースの前記サブセットを構成すること
を備える、請求項１２に記載の方法。
【請求項１６】
バッファステータス報告（ＢＳＲ）が前記ＵＣＩ中に含まれ、第１のサブフレーム中で送信されるべきであるという識別に少なくとも部分的に基づいて、前記第１のサブフレーム中の１次コンポーネントキャリアを使用するスケジューリング要求（ＳＲ）送信をドロップするように前記１つまたは複数の受信機を構成すること
をさらに備える、請求項１２に記載の方法。
【請求項１７】
周期チャネル状態情報（ＣＳＩ）のペイロードサイズと、非周期ＣＳＩが、アップリンク制御チャネルリソースの前記構成されたサブセットとは異なるリソースを使用して第１のサブフレーム中に送信されるべきであるという識別とに少なくとも部分的に基づいて、前記第１のサブフレーム中に前記ＵＣＩから前記周期ＣＳＩをドロップするように前記１つまたは複数の受信機を構成すること
をさらに備える、請求項１２に記載の方法。
【請求項１８】
アップリンク制御チャネルリソースの前記セットが共有無線周波数スペクトル帯域中にある、請求項１２に記載の方法。
【請求項１９】
ワイヤレス通信のための装置であって、
アップリンク制御チャネル送信を使用してアップリンク制御情報（ＵＣＩ）を送信するためのＵＣＩフォーマットを識別するための手段と、
前記識別されたＵＣＩフォーマットに少なくとも部分的に基づいて、構成されたアップリンク制御チャネルリソースのセットからアップリンク制御チャネルリソースの第１のサブセットを識別するための手段と、構成されたアップリンク制御チャネルリソースの前記セットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースの前記セットの異なるサブセットが異なるＵＣＩフォーマットに対応する、
アップリンク制御チャネルリソースの前記第１のサブセットを使用して前記ＵＣＩを通信するための手段と
を備える、装置。
【請求項２０】
構成されたアップリンク制御チャネルリソースの前記セットが、周波数リソースインターレースの第１のセットと周波数リソースインターレースセグメントの第１のセットとを備え、周波数リソースインターレースセグメントの前記第１のセットの各周波数リソースインターレースセグメントが、周波数リソースインターレースの前記第１のセットの周波数リソースインターレースのリソースの一部分を含み、ここにおいて、アップリンク制御チャネルリソースの前記第１のサブセットが、前記識別されたＵＣＩフォーマットに少なくとも部分的に基づいて、周波数リソースインターレースセグメントの前記第１のセットの第１のサブセットとして識別される、請求項１９に記載の装置。
【請求項２１】
前記アップリンク制御チャネル送信のための第１のアップリンク許可を受信するための手段
をさらに備え、前記第１のアップリンク許可がアップリンク制御チャネルリソースの前記第１のサブセットの割振りを含み、前記第１のアップリンク許可中で割り振られたアップリンク制御チャネルリソースの前記第１のサブセットを使用して前記ＵＣＩを送信する、請求項１９に記載の装置。
【請求項２２】
前記ＵＣＩを送信するための前記ＵＣＩフォーマットを示すシグナリングを受信するための手段
をさらに備え、ここにおいて、前記ＵＣＩを通信することが、前記示されたＵＣＩフォーマットを使用して前記ＵＣＩを送信することを備える、請求項１９に記載の装置。
【請求項２３】
第１のサブフレーム中で１次コンポーネントキャリアを使用して送信されるべきスケジューリング要求（ＳＲ）を識別することをさらに備え、
バッファステータス報告（ＢＳＲ）が前記ＵＣＩ中に含まれ、前記第１のサブフレーム中で２次コンポーネントキャリアのアップリンク制御チャネルリソースの前記第１のサブセットを使用して送信されるべきであることを識別することに少なくとも部分的に基づいて、前記１次コンポーネントキャリアを使用する前記ＳＲの前記送信をドロップするための手段と
をさらに備える、請求項１９に記載の装置。
【請求項２４】
周期チャネル状態情報（ＣＳＩ）が前記ＵＣＩ中に含まれ、第１のサブフレーム中で送信されるべきであることを識別するための手段と、
非周期ＣＳＩが、アップリンク制御チャネルリソースの前記第１のサブセットとは異なるリソースを使用して前記第１のサブフレーム中に送信されるべきであることを識別するための手段と、
前記周期ＣＳＩのペイロードのサイズに少なくとも部分的に基づいて、前記ＵＣＩから前記周期ＣＳＩをドロップするための手段と
をさらに備える、請求項１９に記載の装置。
【請求項２５】
構成されたコンポーネントキャリアの数、コンポーネントキャリア当たりのハイブリッド自動再送要求（ＨＡＲＱ）プロセスの数、またはそれらの任意の組合せに少なくとも部分的に基づいて、前記ＵＣＩ中に含まれるべきＨＡＲＱフィードバックビットの数を識別するための手段
をさらに備える、請求項１９に記載の装置。
【請求項２６】
ワイヤレス通信のための装置であって、
アップリンク制御チャネル送信中でアップリンク制御情報（ＵＣＩ）を送信するための複数の異なるＵＣＩフォーマットを識別するための手段と、
前記複数の異なるＵＣＩフォーマットの各々について、アップリンク制御チャネルリソースのセットからアップリンク制御チャネルリソースの異なるサブセットを構成するための手段と、ここにおいて、アップリンク制御チャネルリソースの各サブセットが、アップリンク制御チャネル周波数リソースのサブセット、アップリンク制御チャネル時間リソースのサブセット、またはそれらの組合せを備える、
アップリンク制御チャネルリソースの前記構成されたサブセットを１つまたは複数の受信機に通信するための手段と
を備える、装置。
【請求項２７】
アップリンク制御チャネルリソースの各サブセットが、周波数リソースインターレースのセットと周波数リソースインターレースセグメントのセットとを備え、周波数リソースインターレースセグメントの前記セットの各周波数リソースインターレースセグメントが、周波数リソースインターレースの前記セットの周波数リソースインターレースのリソースの一部分を備える、請求項２６に記載の装置。
【請求項２８】
バッファステータス報告（ＢＳＲ）が前記ＵＣＩ中に含まれ、第１のサブフレーム中で送信されるべきであるという識別に少なくとも部分的に基づいて、前記第１のサブフレーム中の１次コンポーネントキャリアを使用するスケジューリング要求（ＳＲ）送信をドロップするように前記１つまたは複数の受信機を構成するための手段
をさらに備える、請求項２６に記載の装置。
【請求項２９】
周期チャネル状態情報（ＣＳＩ）のペイロードサイズと、非周期ＣＳＩが、アップリンク制御チャネルリソースの前記構成されたサブセットとは異なるリソースを使用して第１のサブフレーム中に送信されるべきであるという識別とに少なくとも部分的に基づいて、前記第１のサブフレーム中に前記ＵＣＩから前記周期ＣＳＩをドロップするように前記１つまたは複数の受信機を構成するための手段
をさらに備える、請求項２６に記載の装置。
【請求項３０】
アップリンク制御チャネルリソースの前記セットが共有無線周波数スペクトル帯域中にある、請求項２６に記載の装置。
【発明の詳細な説明】
【技術分野】
【０００１】
関連出願の相互参照
[0001]本特許出願は、各々が本出願の譲受人に譲渡された、２０１７年３月２８日に出願された、「Techniques For Configuring Uplink Control Channel Transmissions In A Shared Radio Frequency Spectrum Band」と題する、Ｙｅｒｒａｍａｌｌｉらによる米国特許出願第１５／４７１，５２４号、および２０１６年３月３０日に出願された、「Techniques For Configuring Uplink Control Channel Transmissions In A Shared Radio Frequency Spectrum Band」と題する、Ｙｅｒｒａｍａｌｌｉらによる米国仮特許出願第６２／３１５，６２６号の優先権を主張する。
【０００２】
[0002]本開示は、たとえば、ワイヤレス通信システムに関し、より詳細には、共有無線周波数スペクトル帯域中のアップリンク制御チャネル送信を構成するための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかの通信モードは、共有無線周波数スペクトル帯域上での、または異なるスペクトル（たとえば、専用無線周波数スペクトル帯域および共有無線周波数スペクトル帯域）上での基地局とＵＥとの間の通信を可能にし得る。専用無線周波数スペクトル帯域を使用するセルラーネットワークにおけるデータトラフィックの増加とともに、少なくとも一部のデータトラフィックの、共有無線周波数スペクトル帯域へのオフローディングは、モバイルネットワーク事業者（またはセルラー事業者）に拡張データ送信容量のための機会を与え得る。共有無線周波数スペクトル帯域の使用はまた、専用無線周波数スペクトル帯域へのアクセスが利用不可能であるエリア中でサービスを与え得る。
【０００６】
[0006]１つまたは複数のＵＥパラメータ（たとえば、チャネルパラメータ、ＵＥバッファステータス、スケジューリング要求、肯定応答受信フィードバック）に関する情報を基地局に与えるために、ＵＥは、物理アップリンク制御チャネル（ＰＵＣＣＨ：physical uplink control channel）を使用してアップリンク制御情報（ＵＣＩ：uplink control information）を送信し得る。そのようなＵＣＩの場合効率的な送信は、ネットワーク利用率を向上させ得る。
【発明の概要】
【０００７】
[0007]共有無線周波数スペクトル帯域中でアップリンク制御チャネル送信を送信することときに、アップリンク制御情報（ＵＣＩ）のために構成されたフォーマットに基づいてＵＣＩのための異なるリソースを与える技法を使用して、アップリンク制御チャネル送信のためのリソースが構成され得る。本開示で説明される技法は、ＵＥによるＵＣＩの送信のために異なる時間リソース、周波数リソース、またはそれらの組合せを与え得る。ＵＥによって使用されるべき特定のリソースは、基地局によって構成され、ＵＥに与えられ得る。いくつかの例では、ＵＣＩ送信のために使用されるべきリソースは半静的に構成されるか、または動的にＵＥに示され得る。いくつかの例では、アップリンク送信は周波数リソースのインターレースにおいて構成され得、各インターレースは１つまたは複数のセグメントを有し、基地局は、異なるフォーマットＵＣＩの送信のために異なるセグメントを構成し得る。他の例では、異なるサブフレーム、または異なるコンポーネントキャリアがＵＣＩの異なるフォーマットのために構成され得る。
【０００８】
[0008]ワイヤレス通信の方法が説明される。本方法は、アップリンク制御チャネル送信を使用してＵＣＩを送信するためのＵＣＩフォーマットを識別することと、識別されたＵＣＩフォーマットに少なくとも部分的に基づいて、構成されたアップリンク制御チャネルリソースのセットからアップリンク制御チャネルリソースの第１のサブセットを識別することと、構成されたアップリンク制御チャネルリソースのセットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースのセットの異なるサブセットが異なるＵＣＩフォーマットに対応する、アップリンク制御チャネルリソースの第１のサブセットを使用してＵＣＩを通信することとを含み得る。
【０００９】
[0009]ワイヤレス通信のための装置が説明される。本装置は、アップリンク制御チャネル送信を使用してＵＣＩを送信するためのＵＣＩフォーマットを識別するための手段と、識別されたＵＣＩフォーマットに少なくとも部分的に基づいて、構成されたアップリンク制御チャネルリソースのセットからアップリンク制御チャネルリソースの第１のサブセットを識別するための手段と、構成されたアップリンク制御チャネルリソースのセットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースのセットの異なるサブセットが異なるＵＣＩフォーマットに対応する、アップリンク制御チャネルリソースの第１のサブセットを使用してＵＣＩを通信するための手段とを含み得る。
【００１０】
[0010]さらなる装置が説明される。本装置は、プロセッサと、プロセッサと電子通信しているメモリと、メモリに記憶された命令とを含み得る。命令は、プロセッサに、アップリンク制御チャネル送信を使用してＵＣＩを送信するためのＵＣＩフォーマットを識別することと、識別されたＵＣＩフォーマットに少なくとも部分的に基づいて、構成されたアップリンク制御チャネルリソースのセットからアップリンク制御チャネルリソースの第１のサブセットを識別することと、構成されたアップリンク制御チャネルリソースのセットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースのセットの異なるサブセットが異なるＵＣＩフォーマットに対応する、アップリンク制御チャネルリソースの第１のサブセットを使用してＵＣＩを通信することとを行わせるように動作可能であり得る。
【００１１】
[0011]ワイヤレス通信のための非一時的コンピュータ可読媒体が説明される。本非一時的コンピュータ可読媒体は、プロセッサに、アップリンク制御チャネル送信を使用してＵＣＩを送信するためのＵＣＩフォーマットを識別することと、識別されたＵＣＩフォーマットに基づいて、構成されたアップリンク制御チャネルリソースのセットからアップリンク制御チャネルリソースの第１のサブセットを識別することと、構成されたアップリンク制御チャネルリソースのセットが、アップリンク制御チャネル周波数リソースのサブセットのセット、アップリンク制御チャネル時間リソースのサブセットのセット、またはそれらの組合せを含み、ここで、構成されたアップリンク制御チャネルリソースのセットの異なるサブセットが異なるＵＣＩフォーマットに対応する、アップリンク制御チャネルリソースの第１のサブセットを使用してＵＣＩを通信することとを行わせるための命令を含み得る。
【００１２】
[0012]上記で説明された方法、装置、または非一時的コンピュータ可読媒体のいくつかの例では、構成されたアップリンク制御チャネルリソースのセットは、周波数リソースインターレースの第１のセットと周波数リソースインターレースセグメントの第１のセットとを備え、周波数リソースインターレースセグメントの第１のセットの各周波数リソースインターレースセグメントは、周波数リソースインターレースの第１のセットの周波数リソースインターレースのリソースの一部分を備え、ここで、アップリンク制御チャネルリソースの第１のサブセットを識別することは、識別されたＵＣＩフォーマットに基づいて、周波数リソースインターレースセグメントの第１のセットの第１のサブセットを識別することを備える。
【００１３】
[0013]上記で説明された方法、装置、または非一時的コンピュータ可読媒体のいくつかの例では、構成されたアップリンク制御チャネルリソースのセットは、サブフレームのセットのアップリンク制御チャネルリソースのサブセットを備え、異なるサブフレームのためのアップリンク制御チャネルリソースのサブセットは、異なるＵＣＩフォーマットのために構成され、ここで、アップリンク制御チャネルリソースの第１のサブセットを識別することは、識別されたＵＣＩフォーマットに基づいて、第１のサブフレームのアップリンク制御チャネルの第１のセットの第１のサブセットを識別することを備える。
【００１４】
[0014]上記で説明された方法、装置、または非一時的コンピュータ可読媒体のいくつかの例では、構成されたアップリンク制御チャネルリソースのセットは、アップリンクコンポーネントキャリアのセットのアップリンク制御チャネルリソースのサブセットを備え、異なるコンポーネントキャリアのためのアップリンク制御チャネルリソースのサブセットは、異なるＵＣＩフォーマットのために構成され、ここで、アップリンク制御チャネルリソースの第１のサブセットを識別することは、識別されたＵＣＩフォーマットに基づいて、第１のコンポーネントキャリアのアップリンク制御チャネルの第１のセットの第１のサブセットを識別することを備える。
【００１５】
[0015]上記で説明された方法、装置、または非一時的コンピュータ可読媒体のいくつかの例は、第１のアップリンク制御チャネル送信のための第１のアップリンク許可を受信するためのプロセス、特徴、手段、または命令をさらに含み得、第１のアップリンク許可はアップリンク制御チャネルリソースの第１のサブセットの割振りを含み、ここで、ＵＣＩを通信することは、第１のアップリンク許可中で割り振られたアップリンク制御チャネルリソースの第１のサブセットを使用してＵＣＩを送信することを備える。
【００１６】
[0016]上記で説明された方法、装置、または非一時的コンピュータ可読媒体のいくつかの例は、ＵＣＩを送信するためのＵＣＩフォーマットを示すシグナリングを受信するためのプロセス、特徴、手段、または命令をさらに含み得、ここにおいて、ＵＣＩを通信することは、示されたＵＣＩフォーマットを使用してＵＣＩを送信することを備える。
【００１７】
[0017]上記で説明された方法、装置、または非一時的コンピュータ可読媒体のいくつかの例では、シグナリングは、物理ダウンリンク制御チャネル（ＰＤＣＣＨ）シグナリング中で、またはアップリンク許可中で受信される。
【００１８】
[0018]上記で説明された方法、装置、または非一時的コンピュータ可読媒体のいくつかの例は、第１のサブフレーム中で１次コンポーネントキャリアを使用して送信されるべきスケジューリング要求（ＳＲ：scheduling request）を識別するためのプロセス、特徴、手段、または命令をさらに含み得る。上記で説明された方法、装置、または非一時的コンピュータ可読媒体のいくつかの例は、バッファステータス報告（ＢＳＲ：buffer status report）がＵＣＩ中に含まれ、第１のサブフレーム中で２次コンポーネントキャリアのアップリンク制御チャネルリソースの第１のサブセットを使用して送信されるべきであることを識別することに基づいて、１次コンポーネントキャリアを使用するＳＲの送信をドロップするためのプロセス、特徴、手段、または命令をさらに含み得る。
【００１９】
[0019]上記で説明された方法、装置、または非一時的コンピュータ可読媒体のいくつかの例は、周期チャネル状態情報（ＣＳＩ：channel state information）がＵＣＩ中に含まれ、第１のサブフレーム中で送信されるべきであることを識別するためのプロセス、特徴、手段、または命令をさらに含み得る。上記で説明された方法、装置、または非一時的コンピュータ可読媒体のいくつかの例は、非周期ＣＳＩが、アップリンク制御チャネルリソースの第１のサブセットとは異なるリソースを使用して第１のサブフレーム中に送信されるべきであることを識別するためのプロセス、特徴、手段、または命令をさらに含み得る。上記で説明された方法、装置、または非一時的コンピュータ可読媒体のいくつかの例は、周期ＣＳＩのペイロードのサイズに基づいて、ＵＣＩから周期ＣＳＩをドロップするためのプロセス、特徴、手段、または命令をさらに含み得る。
【００２０】
[0020]上記で説明された方法、装置、または非一時的コンピュータ可読媒体のいくつかの例は、構成されたコンポーネントキャリアの数、コンポーネントキャリア当たりのハイブリッド自動再送要求（ＨＡＲＱ：hybrid automatic repeat request）プロセスの数、またはそれらの任意の組合せに基づいて、ＵＣＩ中に含まれるべきＨＡＲＱフィードバックビットの数を識別するためのプロセス、特徴、手段、または命令をさらに含み得る。上記で説明された方法、装置、または非一時的コンピュータ可読媒体のいくつかの例では、リソースの第１のセットは共有無線周波数スペクトル帯域中にある。
【００２１】
[0021]ワイヤレス通信の方法が説明される。本方法は、アップリンク制御チャネル送信中でＵＣＩを送信するための複数の異なるＵＣＩフォーマットを識別することと、複数の異なるＵＣＩフォーマットの各々について、アップリンク制御チャネルリソースのセットからアップリンク制御チャネルリソースの異なるサブセットを構成することと、ここにおいて、アップリンク制御チャネルリソースの各サブセットが、アップリンク制御チャネル周波数リソースのサブセット、アップリンク制御チャネル時間リソースのサブセット、またはそれらの組合せを備える、アップリンク制御チャネルリソースの構成されたサブセットを１つまたは複数の受信機に通信することとを含み得る。
【００２２】
[0022]ワイヤレス通信のための装置が説明される。本装置は、アップリンク制御チャネル送信中でＵＣＩを送信するための複数の異なるＵＣＩフォーマットを識別するための手段と、複数の異なるＵＣＩフォーマットの各々について、アップリンク制御チャネルリソースのセットからアップリンク制御チャネルリソースの異なるサブセットを構成するための手段と、ここにおいて、アップリンク制御チャネルリソースの各サブセットが、アップリンク制御チャネル周波数リソースのサブセット、アップリンク制御チャネル時間リソースのサブセット、またはそれらの組合せを備える、アップリンク制御チャネルリソースの構成されたサブセットを１つまたは複数の受信機に通信するための手段とを含み得る。
【００２３】
[0023]さらなる装置が説明される。本装置は、プロセッサと、プロセッサと電子通信しているメモリと、メモリに記憶された命令とを含み得る。命令は、プロセッサに、アップリンク制御チャネル送信中でＵＣＩを送信するための複数の異なるＵＣＩフォーマットを識別することと、複数の異なるＵＣＩフォーマットの各々について、アップリンク制御チャネルリソースのセットからアップリンク制御チャネルリソースの異なるサブセットを構成することと、ここにおいて、アップリンク制御チャネルリソースの各サブセットが、アップリンク制御チャネル周波数リソースのサブセット、アップリンク制御チャネル時間リソースのサブセット、またはそれらの組合せを備える、アップリンク制御チャネルリソースの構成されたサブセットを１つまたは複数の受信機に通信することとを行わせるように動作可能であり得る。
【００２４】
[0024]ワイヤレス通信のための非一時的コンピュータ可読媒体が説明される。本非一時的コンピュータ可読媒体は、プロセッサに、アップリンク制御チャネル送信中でＵＣＩを送信するための異なるＵＣＩフォーマットのセットを識別することと、異なるＵＣＩフォーマットのセットの各々について、アップリンク制御チャネルリソースのセットからアップリンク制御チャネルリソースの異なるサブセットを構成することと、ここで、アップリンク制御チャネルリソースの各サブセットが、アップリンク制御チャネル周波数リソースのサブセット、アップリンク制御チャネル時間リソースのサブセット、またはそれらの組合せを備える、アップリンク制御チャネルリソースの構成されたサブセットを１つまたは複数の受信機に通信することとを行わせるための命令を含み得る。
【００２５】
[0025]上記で説明された方法、装置、または非一時的コンピュータ可読媒体のいくつかの例では、アップリンク制御チャネルリソースの各サブセットは、周波数リソースインターレースのセットと周波数リソースインターレースセグメントのセットとを備え、周波数リソースインターレースセグメントのセットの各周波数リソースインターレースセグメントは、周波数リソースインターレースのセットの周波数リソースインターレースのリソースの一部分を備える。
【００２６】
[0026]上記で説明された方法、装置、または非一時的コンピュータ可読媒体のいくつかの例では、アップリンク制御チャネルリソースの各サブセットは、サブフレームのセットの異なるサブフレームのアップリンク制御チャネルリソースのサブセットを備え、ここで、アップリンク制御チャネルリソースの異なるサブセットを構成することは、異なるＵＣＩフォーマットのために異なるサブフレームのためのアップリンク制御チャネルリソースのサブセットを構成することを備える。
【００２７】
[0027]上記で説明された方法、装置、または非一時的コンピュータ可読媒体のいくつかの例では、アップリンク制御チャネルリソースの各サブセットが、異なるコンポーネントキャリアのアップリンク制御チャネルリソースのサブセットを備え、ここで、アップリンク制御チャネルリソースの異なるサブセットを構成することは、異なるＵＣＩフォーマットのために異なるコンポーネントキャリアのためのアップリンク制御チャネルリソースのサブセットを構成することを備える。
【００２８】
[0028]上記で説明された方法、装置、または非一時的コンピュータ可読媒体のいくつかの例は、ＢＳＲがＵＣＩ中に含まれ、第１のサブフレーム中で送信されるべきであるという識別に基づいて、第１のサブフレーム中の１次コンポーネントキャリアを使用するＳＲ送信をドロップするように１つまたは複数の受信機を構成するためのプロセス、特徴、手段、または命令をさらに含み得る。
【００２９】
[0029]上記で説明された方法、装置、または非一時的コンピュータ可読媒体のいくつかの例は、周期ＣＳＩのペイロードサイズと、非周期ＣＳＩが、アップリンク制御チャネルリソースの構成されたサブセットとは異なるリソースを使用して第１のサブフレーム中に送信されるべきであるという識別とに基づいて、第１のサブフレーム中にＵＣＩから周期ＣＳＩをドロップするように１つまたは複数の受信機を構成するためのプロセス、特徴、手段、または命令をさらに含み得る。
【００３０】
[0030]上記で説明された方法、装置、または非一時的コンピュータ可読媒体のいくつかの例では、アップリンク制御チャネルリソースの前記セットが共有無線周波数スペクトル帯域中にある。
【００３１】
[0031]ワイヤレス通信の方法が説明される。本方法は、アップリンク制御チャネル送信中でＵＣＩを送信するための複数の異なるＵＣＩフォーマットを識別することと、第１のＵＣＩフォーマットのための第１の送信時間間隔（ＴＴＩ：transmission time interval）のアップリンク制御チャネルリソースの第１のセット、および第２のＵＣＩフォーマットのための第２のＴＴＩのアップリンク制御チャネルリソースの第２のセットを構成することと、少なくとも、第１のＵＣＩフォーマットを使用して送信すべきである第１のユーザ機器（ＵＥ）、および第２のＵＣＩフォーマットを使用して送信すべきである第２のＵＥを識別することと、第１のＵＥを第１のＴＴＩ中に送信するようにトリガし、第２のＵＥを第２のＴＴＩ中に送信するようにトリガすることとを含み得る。
【００３２】
[0032]ワイヤレス通信のための装置が説明される。本装置は、アップリンク制御チャネル送信中でＵＣＩを送信するための複数の異なるＵＣＩフォーマットを識別するための手段と、第１のＵＣＩフォーマットのための第１のＴＴＩのアップリンク制御チャネルリソースの第１のセット、および第２のＵＣＩフォーマットのための第２のＴＴＩのアップリンク制御チャネルリソースの第２のセットを構成するための手段と、少なくとも、第１のＵＣＩフォーマットを使用して送信すべきである第１のユーザ機器（ＵＥ）、および第２のＵＣＩフォーマットを使用して送信すべきである第２のＵＥを識別するための手段と、第１のＵＥを第１のＴＴＩ中に送信するようにトリガし、第２のＵＥを第２のＴＴＩ中に送信するようにトリガするための手段とを含み得る。
【００３３】
[0033]さらなる装置が説明される。本装置は、プロセッサと、プロセッサと電子通信しているメモリと、メモリに記憶された命令とを含み得る。命令は、プロセッサに、アップリンク制御チャネル送信中でＵＣＩを送信するための複数の異なるＵＣＩフォーマットを識別することと、第１のＵＣＩフォーマットのための第１のＴＴＩのアップリンク制御チャネルリソースの第１のセット、および第２のＵＣＩフォーマットのための第２のＴＴＩのアップリンク制御チャネルリソースの第２のセットを構成することと、少なくとも、第１のＵＣＩフォーマットを使用して送信すべきである第１のユーザ機器（ＵＥ）、および第２のＵＣＩフォーマットを使用して送信すべきである第２のＵＥを識別することと、第１のＵＥを第１のＴＴＩ中に送信するようにトリガし、第２のＵＥを第２のＴＴＩ中に送信するようにトリガすることとを行わせるように動作可能であり得る。
【００３４】
[0034]ワイヤレス通信のための非一時的コンピュータ可読媒体が説明される。本非一時的コンピュータ可読媒体は、プロセッサに、アップリンク制御チャネル送信中でＵＣＩを送信するための異なるＵＣＩフォーマットのセットを識別することと、第１のＵＣＩフォーマットのための第１のＴＴＩのアップリンク制御チャネルリソースの第１のセット、および第２のＵＣＩフォーマットのための第２のＴＴＩのアップリンク制御チャネルリソースの第２のセットを構成することと、少なくとも、第１のＵＣＩフォーマットを使用して送信すべきである第１のユーザ機器（ＵＥ）、および第２のＵＣＩフォーマットを使用して送信すべきである第２のＵＥを識別することと、第１のＵＥを第１のＴＴＩ中に送信するようにトリガし、第２のＵＥを第２のＴＴＩ中に送信するようにトリガすることとを行わせるための命令を含み得る。
【００３５】
[0035]上記で説明された方法、装置、または非一時的コンピュータ可読媒体のいくつかの例では、アップリンク制御チャネルリソースの第１のサブセットおよび制御チャネルリソースの第２のサブセットは、第１のＴＴＩおよび第２のＴＴＩ内の同じ、周波数リソースインターレースのセットおよび周波数リソースインターレースセグメントのセットに対応し、ここで、周波数リソースインターレースセグメントのセットの各周波数リソースインターレースセグメントは、周波数リソースインターレースのセットの周波数リソースインターレースのリソースの一部分を備える。
【００３６】
[0036]上記で説明された方法、装置、または非一時的コンピュータ可読媒体のいくつかの例では、第１のＵＥを第１のＴＴＩ中に送信するようにトリガし、第２のＵＥを第２のＴＴＩ中に送信するようにトリガすることは、第１のＴＴＩ中のアップリンク送信のための第１のアップリンク許可を第１のＵＥに送信することを備える。上記で説明された方法、装置、または非一時的コンピュータ可読媒体のいくつかの例は、第２のＴＴＩ中のアップリンク送信のための第２のアップリンク許可を第２のＵＥに送信するためのプロセス、特徴、手段、または命令をさらに含み得る。
【００３７】
[0037]ワイヤレス通信の方法が説明される。本方法は、アップリンク制御チャネル送信中でＵＣＩを送信するための複数の異なるＵＣＩフォーマットを識別することと、ＵＣＩを送信するために第１のＵＣＩフォーマットを使用するように少なくとも第１のＵＥを構成することと、第１のＵＣＩフォーマットを使用するための構成を第１のＵＥに通信することとを含み得る。
【００３８】
[0038]ワイヤレス通信のための装置が説明される。本装置は、アップリンク制御チャネル送信中でＵＣＩを送信するための複数の異なるＵＣＩフォーマットを識別するための手段と、ＵＣＩを送信するために第１のＵＣＩフォーマットを使用するように少なくとも第１のＵＥを構成するための手段と、第１のＵＣＩフォーマットを使用するための構成を第１のＵＥに通信するための手段とを含み得る。
【００３９】
[0039]さらなる装置が説明される。本装置は、プロセッサと、プロセッサと電子通信しているメモリと、メモリに記憶された命令とを含み得る。命令は、プロセッサに、アップリンク制御チャネル送信中でＵＣＩを送信するための複数の異なるＵＣＩフォーマットを識別することと、ＵＣＩを送信するために第１のＵＣＩフォーマットを使用するように少なくとも第１のＵＥを構成することと、第１のＵＣＩフォーマットを使用するための構成を第１のＵＥに通信することとを行わせるように動作可能であり得る。
【００４０】
[0040]ワイヤレス通信のための非一時的コンピュータ可読媒体が説明される。本非一時的コンピュータ可読媒体は、プロセッサに、アップリンク制御チャネル送信中でＵＣＩを送信するための異なるＵＣＩフォーマットのセットを識別することと、ＵＣＩを送信するために第１のＵＣＩフォーマットを使用するように少なくとも第１のＵＥを構成することと、第１のＵＣＩフォーマットを使用するための構成を第１のＵＥに通信することとを行わせるための命令を含み得る。
【００４１】
[0041]上記で説明された方法、装置、または非一時的コンピュータ可読媒体のいくつかの例では、第１のＵＥに構成を通信することは、ＵＣＩが第１のＵＣＩフォーマットを使用して送信されるべきであるという共通シグナリングを第１のＵＥと１つまたは複数の他のＵＥとに送信することを備える。上記で説明された方法、装置、または非一時的コンピュータ可読媒体のいくつかの例は、共通シグナリングを通信することが、ＵＥのセットに送信されたＰＤＣＣＨシグナリングであるためのプロセス、特徴、手段、または命令をさらに含み得る。
【００４２】
[0042]上記で説明された方法、装置、または非一時的コンピュータ可読媒体のいくつかの例では、第１のＵＥに構成を通信することは、ＵＣＩが第１のＵＣＩフォーマットを使用して送信されるべきであることを示すアップリンク許可を第１のＵＥに送信することを備える。上記で説明された方法、装置、または非一時的コンピュータ可読媒体のいくつかの例では、ＵＣＩを送信するために第１のＵＣＩフォーマットを使用するように少なくとも第１のＵＥを構成することは、第１のＵＥが、第１のＵＣＩフォーマット以外の異なるＵＣＩフォーマットのセットのＵＣＩフォーマットを使用することを禁止することをさらに備える。
【００４３】
[0043]上記は、以下の発明を実施するための形態がより良く理解され得るように、本開示による例の特徴および技術的利点についてかなり広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【００４４】
[0044]本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００４５】
【図１】[0045]本開示の態様による、共有無線周波数スペクトル帯域中のアップリンク制御チャネル送信をサポートするワイヤレス通信システムの一例を示す図。
【図２】[0046]本開示の態様による、共有無線周波数スペクトル帯域中のアップリンク制御チャネル送信をサポートするワイヤレス通信システムの一例を示す図。
【図３】[0047]本開示の様々な態様による、複数の周波数リソースインターレース中で割り振られ得る、システム帯域幅の複数のリソースブロックを示す図。
【図４】[0048]本開示の様々な態様による、ＵＣＩの異なるフォーマットのために使用され得る異なる周波数リソースインターレースセグメントの一例を示す図。
【図５】[0049]本開示の態様による、共有無線周波数スペクトル帯域中のアップリンク制御チャネル送信をサポートするサブフレームベースリソースの一例を示す図。
【図６】[0050]本開示の態様による、共有無線周波数スペクトル帯域中のアップリンク制御チャネル送信をサポートするキャリアベースリソースの一例を示す図。
【図７】[0051]本開示の態様による、共有無線周波数スペクトル帯域中のアップリンク制御チャネル送信のためのペイロード決定のための方法の一例を示す図。
【図８】[0052]本開示の態様による、共有無線周波数スペクトル帯域中のアップリンク制御チャネル送信のためのチャネル状態情報（ＣＳＩ）報告のための方法の一例を示す図。
【図９】[0053]本開示の態様による、共有無線周波数スペクトル帯域中のアップリンク制御チャネル送信をサポートするシステムにおけるプロセスフローの一例を示す図。
【図１０】[0054]本開示の態様による、共有無線周波数スペクトル帯域中のアップリンク制御チャネル送信をサポートするワイヤレスデバイスのブロック図。
【図１１】本開示の態様による、共有無線周波数スペクトル帯域中のアップリンク制御チャネル送信をサポートするワイヤレスデバイスのブロック図。
【図１２】[0055]本開示の態様による、共有無線周波数スペクトル帯域中のアップリンク制御チャネル送信をサポートするデバイスを含むシステムのブロック図。
【図１３】[0056]本開示の態様による、共有無線周波数スペクトル帯域中のアップリンク制御チャネル送信をサポートするワイヤレスデバイスのブロック図。
【図１４】本開示の態様による、共有無線周波数スペクトル帯域中のアップリンク制御チャネル送信をサポートするワイヤレスデバイスのブロック図。
【図１５】[0057]本開示の態様による、共有無線周波数スペクトル帯域中のアップリンク制御チャネル送信をサポートするデバイスを含むシステムのブロック図。
【図１６】[0058]本開示の態様による、共有無線周波数スペクトル帯域中のアップリンク制御チャネル送信のための方法を示す図。
【図１７】本開示の態様による、共有無線周波数スペクトル帯域中のアップリンク制御チャネル送信のための方法を示す図。
【図１８】本開示の態様による、共有無線周波数スペクトル帯域中のアップリンク制御チャネル送信のための方法を示す図。
【図１９】本開示の態様による、共有無線周波数スペクトル帯域中のアップリンク制御チャネル送信のための方法を示す図。
【発明を実施するための形態】
【００４６】
[0059]共有無線周波数スペクトル帯域がワイヤレス通信システム中の通信の少なくとも一部分のために使用され得る技法が説明される。いくつかの例では、共有無線周波数スペクトル帯域は、ロングタームエボリューション（ＬＴＥ（登録商標））またはＬＴＥアドバンスト（ＬＴＥ−Ａ）通信のために使用され得る。共有無線周波数スペクトル帯域は、専用無線周波数スペクトル帯域と組み合わせて、またはそれとは無関係に使用され得る。専用無線周波数スペクトル帯域は、特定の使用のための特定のユーザに認可された無線周波数スペクトル帯域を含み得る。共有無線周波数スペクトル帯域は、Ｗｉ−Ｆｉ（登録商標）使用のために利用可能な無線周波数スペクトル帯域、異なる無線アクセス技術による使用のために利用可能な無線周波数スペクトル帯域、あるいは等しく共有されるかまたは優先度を付けられた様式で複数のモバイルネットワーク事業者（ＭＮＯ）による使用のために利用可能な無線周波数スペクトル帯域を含み得る。
【００４７】
[0060]いくつかの例では、ユーザ機器（ＵＥ）は、共有無線周波数スペクトル帯域中でアップリンク制御チャネル送信を送信するように構成され得、送信されるべきであるアップリンク制御情報（ＵＣＩ）の１つまたは複数のフォーマットに基づいてアップリンク制御チャネル送信のためのリソースが構成され得る。いくつかの例では、基地局は、ＵＥによるＵＣＩの送信のために異なる時間リソース、周波数リソース、またはそれらの組合せを与え得る。ＵＥによって使用されるべき特定のリソースは、基地局によって構成され、ＵＥに与えられ得る。いくつかの例では、ＵＣＩ送信のために使用されるべきリソースは半静的に構成されるか、または動的にＵＥに示され得る。いくつかの例では、アップリンク送信は周波数リソースのインターレースにおいて構成され得、各インターレースは１つまたは複数のセグメントを有し、基地局は、異なるフォーマットＵＣＩの送信のために異なるセグメントを構成し得る。他の例では、異なるサブフレーム、または異なるコンポーネントキャリアがＵＣＩの異なるフォーマットのために構成され得る。
【００４８】
[0061]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わせられ得る。また、いくつかの例に関して説明される特徴は、他の例において組み合わせられ得る。
【００４９】
[0062]図１は、本開示の態様による、共有無線周波数スペクトル帯域中のアップリンク制御チャネル送信をサポートするワイヤレス通信システムの一例を示す。ワイヤレス通信システム１００は、ネットワークアクセスデバイス（たとえば、基地局１０５）と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実施し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ２など）上で、直接的または間接的のいずれかで（たとえば、コアネットワーク１３０を通して）、互いと通信し得る。
【００５０】
[0063]基地局１０５は、１つまたは複数の通信リンク１２５を介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００５１】
[0064]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連付するキャリアまたはコンポーネントキャリア、あるいはキャリアまたは基地局のカバレージエリア（たとえば、セクタなど）を表すために使用され得る３ＧＰＰ（登録商標）用語である。
【００５２】
[0065]マクロセルは、比較的大きい地理的エリア（たとえば、半径数キロメートル）をカバーし得、ネットワーク事業者のサービスに加入しているＵＥによる無制限アクセスを可能にし得る。スモールセルは、マクロセルと比較して、マクロセルと同じまたは異なる（たとえば、専用、共有などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）をもカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５３】
[0066]ワイヤレス通信システム１００は同期動作または非同期動作をサポートし得る。同期動作の場合、基地局１０５は同様のフレームタイミングを有し得、異なる基地局１０５からの送信は時間的に近似的に整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【００５４】
[0067]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実施し得る。媒体アクセス制御（ＭＡＣ：Medium Access Control）レイヤが、優先度処理と、トランスポートチャネルへの論理チャネルの多重化とを実施し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００５５】
[0068]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００５６】
[0069]ワイヤレス通信システム１００に示されている通信リンク１２５は、基地局１０５からＵＥ１１５へのダウンリンク（ＤＬ）、またはＵＥ１１５から基地局１０５へのアップリンク（ＵＬ）を含み得る。ダウンリンクは順方向リンクと呼ばれることもあり、アップリンクは逆方向リンクと呼ばれることもある。
【００５７】
[0070]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送信され得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００５８】
[0071]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００５９】
[0072]いくつかの場合には、ワイヤレス通信システム１００は、認可無線周波数スペクトル帯域と無認可無線周波数スペクトル帯域の両方を利用し得る。たとえば、ワイヤレス通信システム１００は、５Ｇｈｚ産業科学医療用（ＩＳＭ）帯域などの無認可帯域中でＬＴＥライセンス支援型アクセス（ＬＴＥ−ＬＡＡ）またはＬＴＥ無認可（ＬＴＥ−Ｕ）無線アクセス技術を採用し得る。無認可無線周波数スペクトル帯域中で動作するとき、基地局１０５およびＵＥ１１５などのワイヤレスデバイスは、データを送信する前にチャネルがクリアであることを保証するために、クリアチャネルアセスメント（ＣＣＡ）などのリッスンビフォアトーク（ＬＢＴ）プロシージャを採用し得る。いくつかの場合には、無認可帯域中の動作は、認可帯域中で動作するコンポーネントキャリア（ＣＣ）とともに、キャリアアグリゲーション（ＣＡ：carrier aggregation）構成に基づき得る。コンポーネントキャリアは、レイヤ、チャネルなどと呼ばれることもあり、「キャリア」、「コンポーネントキャリア」、「セル」、および「チャネル」という用語は、本明細書では互換的に使用され得る。
【００６０】
[0073]ＣＡ動作のために構成されたとき、ワイヤレス通信システム１００は、いくつかの例では、ＦＤＤまたはＴＤＤコンポーネントキャリアを使用し得る。ＬＴＥ／ＬＴＥ−Ａネットワークでは、ＵＥ１１５は、キャリアアグリゲーションモードまたはデュアル接続性モードで動作しているとき、最高５つのＣＣを使用して通信するように構成され得る。ＣＣのうちの１つまたは複数はＤＬ  ＣＣとして構成され得、ＣＣのうちの１つまたは複数はアップリンク（ＵＬ）ＣＣとして構成され得る。また、ＵＥ１１５に割り振られたＣＣのうちの１つは１次ＣＣ（ＰＣＣ）または１次セル（ＰＣｅｌｌ）ＣＣとして構成され得、ＵＥ１１５に割り振られた残りのＣＣは２次ＣＣ（ＳＣＣ）または２次セル（ＳＣｅｌｌ）ＣＣとして構成され得る。
【００６１】
[0074]無認可スペクトルにおける動作は、ダウンリンク送信、アップリンク送信、またはその両方を含み得る。無認可スペクトルにおける複信は、周波数分割複信（ＦＤＤ）、時分割複信（ＴＤＤ）、またはその両方の組合せに基づき得る。ＣＣＡは、他のアクティブ送信があるかどうかを決定するためのエネルギー検出プロシージャを含み得る。たとえば、デバイスは、電力計の受信信号強度指示（ＲＳＳＩ：received signal strength indication）の変化が、チャネルが占有されることを示すと推論し得る。詳細には、ある帯域幅中に集中し、所定の雑音フロアを超えるである信号電力が、別のワイヤレス送信機を示し得る。ＣＣＡは、チャネルの使用を示す特定のシーケンスの検出をも含み得る。たとえば、別のデバイスが、データシーケンスを送信するより前に特定のプリアンブルを送信し得る。
【００６２】
[0075]いくつかの場合には、ワイヤレス通信システム１００は拡張ＣＣ（ｅＣＣ）を利用し得る。ｅＣＣは、より広い帯域幅、より短いシンボル持続時間、より短い送信時間間隔（ＴＴＩ）、および変更された制御チャネル構成を含む、１つまたは複数の特徴によって特徴づけられ得る。いくつかの場合には、ｅＣＣは、（たとえば、複数のサービングセルが準最適または理想的でないバックホールリンクを有するとき）キャリアアグリゲーション構成またはデュアル接続性構成に関連し得る。ｅＣＣはまた、無認可スペクトルまたは共有スペクトルにおいて使用するために構成され得る。広帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００６３】
[0076]いくつかの場合には、ｅＣＣは、他のコンポーネントキャリア（ＣＣ）とは異なるシンボル持続時間を利用し得、これは、他のＣＣのシンボル持続時間と比較して低減されたシンボル持続時間の使用を含み得る。より短いシンボル持続時間は、増加されたサブキャリア間隔に関連し得る。ｅＣＣを利用する、ＵＥ１１５または基地局１０５などのデバイスは、低減されたシンボル持続時間（たとえば、１６．６７μｓ）において広帯域信号（たとえば、２０、４０、６０、８０ＭＨｚなど）を送信し得る。ｅＣＣ中のＴＴＩは、１つまたは複数のシンボルを含み得る。いくつかの場合には、ＴＴＩ持続時間（すなわち、ＴＴＩ中のシンボルの数）は可変であり得る。
【００６４】
[0077]いくつかの場合には、ＣＣはアップリンクＣＣであり得、物理アップリンク制御チャネル（ＰＵＣＣＨ）情報を伝達するために使用され得る。ｅＣＣのために構成されたいくつかのシステムでは、複数のアップリンクキャリアは、ＰＵＣＣＨを搬送する目的のための２つのグループ、すなわち、ＰＣｅｌｌ  ＣＣと１つまたは複数のＳＣｅｌｌ  ＣＣとに分割され得る。いくつかの例では、ＰＵＣＣＨグループにわたるクロスキャリアスケジューリングがなく、Ｓｃｅｌｌ上のＰＵＣＣＨは、ハイブリッド自動再送要求（ＨＡＲＱ）肯定応答／否定応答（ＡＣＫ／ＮＡＣＫ）情報、チャネル状態情報（ＣＳＩ）、スケジューリング要求（ＳＲ）情報、またはそれらの任意の組合せを搬送し得る。さらに、無線リソース制御（ＲＲＣ）パラメータは、アップリンクＣＣの両方のグループについて無関係であり得、ＰＵＣＣＨリソース／ペイロード決定および送信のためのＵＥ１１５プロシージャは、両方のグループにわたって無関係であり得る。様々なパラメータは、ＵＣＩ中に含めるために、ならびにＰＵＣＣＨリソースを使用するＵＣＩの送信のために構成され得る。そのようなパラメータは、たとえば、ＳＣｅｌｌ上のＰＵＣＣＨのための送信電力制御（ＴＰＣ）パラメータ、電力制限された状況におけるＰＵＣＣＨ送信に優先度を付けるためのルール、ＵＣＩ多重化および非周期ＣＳＩ多重化、ＨＡＲＱフィードバックパラメータ、ＳＲ送信パラメータ、ＣＳＩ報告パラメータ、またはそれらの任意の組合せを含み得る。いくつかの場合には、ｅＣＣ  ＵＣＩ情報は、指定されたＰＵＣＣＨフォーマットを使用して与えられ得、ＵＥ１１５は、送信されるべき特定のＵＣＩと構成されたＵＣＩパラメータとに基づいて、ＰＵＣＣＨフォーマットを選択し得る。たとえば、動的ＨＡＲＱフィードバックコードブックと識別されたＰＵＣＣＨフォーマット（たとえば、ＬＴＥ規格において定義されているＰＵＣＣＨフォーマット４または５）とで構成されたＵＥ１１５について、およびＡＣＫ／ＳＲのみの送信について、ＵＣＩペイロードが２２ビットよりも小さい場合、ＰＵＣＣＨフォーマット３が使用され得、ＵＣＩペイロードが２２ビットよりも大きい場合、ＰＵＣＣＨフォーマット４または５が使用され得る。したがって、基地局１０５は、ＵＥ１１５が使用し得る特定のＵＣＩフォーマットの事前知識を有しないことがある。本開示の様々な態様は、特定のＵＣＩフォーマットのための特定のリソースを構成するための技法を提供する。
【００６５】
[0078]図２は、本開示の態様による、共有無線周波数スペクトル帯域中のアップリンク制御チャネル送信をサポートするワイヤレス通信システム２００の一例を示す。ワイヤレス通信システム２００は、図１を参照しながら説明されたワイヤレス通信システム１００の部分の一例であり得る。その上、基地局２０５は、図１を参照しながら説明された基地局１０５のうちの１つまたは複数の態様の一例であり得、ＵＥ２１５は、図１を参照しながら説明されたＵＥ１１５のうちの１つまたは複数の態様の一例であり得る。
【００６６】
[0079]図２の例では、ＵＥ２１５と基地局２０５とは、複数のＣＣ２２５を含み得る通信リンク２２０を介して通信し得る。複数のＣＣ２２５は、複数のアップリンクＣＣ、複数のダウンリンクＣＣ、またはそれらの組合せを含み得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。いくつかの例では、基地局２０５は、アップリンクＣＣ中でＵＣＩを送信するためのいくつかの異なるＵＣＩフォーマットを識別し得る。異なるＵＣＩフォーマットの各々について、基地局２０５は、アップリンク制御チャネル（たとえば、ＰＵＣＣＨ）リソースの異なるサブセットを構成し得る。いくつかの例では、アップリンク制御チャネルリソースの各サブセットは制御チャネル周波数リソースのサブセットであり得る。いくつかの例では、制御チャネル周波数リソースのサブセットは、異なるアップリンクＣＣに対応し得る。いくつかの例では、以下でより詳細に説明されるように、アップリンク制御チャネル周波数リソースの各サブセットは、周波数リソースインターレースのセットのサブセットリソースインターレースセグメントであり得る。他の例では、アップリンク制御チャネルリソースの各サブセットは、異なるサブフレームのアップリンク制御チャネルリソースなど、アップリンク制御チャネル時間リソースのサブセットであり得る。
【００６７】
[0080]基地局２０５は、いくつかの例では、ＵＥ２１５（および基地局２０５カバレージエリア内にあり得る他のＵＥ）にアップリンク制御チャネルリソースの構成されたサブセットを通信し得る。そのような構成されたサブセットは、ＵＥ２１５との接続が確立されたときに基地局２０５によって構成され得るか、または半静的に構成され得る。
【００６８】
[0081]いくつかの例では、基地局２０５はＴＴＩごとにＵＣＩフォーマットを構成し、異なるＵＣＩフォーマットが、異なるＴＴＩ中で同じＰＵＣＣＨリソースを使用して送信され得る。そのような場合、基地局２０５は、（たとえば、ＨＡＲＱプロセスの数、ＣＳＩなど、ＵＥ２１５に関連する情報に基づいて）ＵＥ２１５が使用することになるＵＣＩのタイプを識別し得、識別されたＵＣＩフォーマットのために構成されたＴＴＩ中にＵＣＩを報告するようにＵＥ２１５をトリガし得る。いくつかの例では、基地局２０５は、ＵＥ２１５のために識別されたＵＣＩタイプを有するＴＴＩ中に、アップリンク許可をＵＥ２１５に与えることを通してＵＥ２１５をトリガし得る。他の例では、基地局２０５は、ＰＤＣＣＨ送信中の共通シグナリングを通してなど、ＰＵＣＣＨ送信中で、またはＰＵＣＣＨトリガ許可などの専用シグナリング中で、ＤＣＩのために使用されるべきフォーマットをＵＥ２１５に動的に示し得る。いくつかの他の例では、基地局２０５は、１つのＵＣＩフォーマットを構成するにすぎず、ＵＥ２１５が他のタイプのＵＣＩフォーマットを使用することを可能にしないことがある。ＵＥ２１５は、構成されたＵＣＩフォーマットに基づいて、適切なＰＵＣＣＨリソースを選択し得、１つまたは複数のＣＣ上のアップリンク送信中でＵＣＩを送信し得る。
【００６９】
[0082]図３は、本開示の様々な態様による、複数の周波数リソースインターレース中で割り振られ得る、システム帯域幅の複数のリソースブロック３００を示す。無線フレーム、送信バースト、または送信機会中のいくつかの送信時間間隔（ＴＴＩ）の各々中の送信のために、リソースブロックのセットが割り振られ得る。ダウンリンクＴＴＩ（たとえば、ダウンリンクサブフレーム）では、リソースブロックのセットは、ダウンリンク送信（すなわち、物理ダウンリンク共有チャネル（ＰＤＳＣＨ）送信または物理ダウンリンク制御チャネル（ＰＤＣＣＨ）送信など、基地局からいくつかのＵＥへの送信）のために割り振られ得る。アップリンクＴＴＩ（たとえば、アップリンクサブフレーム）では、リソースブロックのセットは、アップリンク送信（たとえば、物理アップリンク共有チャネル（ＰＵＳＣＨ）送信、ＰＵＣＣＨ送信、物理ランダムアクセスチャネル（ＰＲＡＣＨ）送信、またはサウンディング基準信号（ＳＲＳ）送信のような、いくつかのＵＥから基地局への送信）のために割り振られ得る。いくつかの例では、リソースブロックのセットを使用して通信する基地局とＵＥとは、図１または図２を参照しながら説明された基地局１０５または２０５、あるいはＵＥ１１５または２１５の態様を含み得る。
【００７０】
[0083]例として、図３は、９６個の同じサイズのリソースブロックに分割されるシステム帯域幅（たとえば、共有無線周波数スペクトル帯域の帯域幅）を示す。他の例では、システム帯域幅は、１００個または何らかの他の数の同じサイズのリソースブロックに分割され得る。いくつかの例では、各リソースブロックは、複数のサブキャリアまたはトーン（たとえば、１２個のトーン）を含み得る。いくつかの例では、リソースブロックは、アップリンク送信のためにＵＥに個々に割り振られ得る。いくつかの例では、リソースブロックは、グループ中のアップリンク送信のためにＵＥに割り振られ得る。たとえば、図示のように、９６個のリソースブロックは、６つの周波数リソースインターレースに分割され得、周波数リソースインターレースの各々は１６個のリソースブロックのセットを含む。いくつかの例では、周波数リソースインターレースの各々は、等間隔に離間したリソースブロック（たとえば、システム帯域幅内の６つのリソースブロックごと）のセットを含み得る。図３は、６つの周波数リソースインターレースのセットのうちの２つの周波数リソースインターレース（たとえば、第１の周波数リソースインターレース３０５および第２の周波数リソースインターレース３１０）を識別する。
【００７１】
[0084]アップリンク送信のために、周波数リソースインターレース中のリソースブロックのセットをＵＥに割り振ることは、リソースブロック（または周波数リソースインターレース）のすべてがアップリンク送信のために割り振られるとは限らないとき、帯域幅占有要件（たとえば、８０％の帯域幅占有要件）を満たすことを支援することができる。いくつかの例では、周波数リソースインターレースのセグメントが、ＵＣＩの送信のために構成され得、異なるセグメントが、異なるＵＣＩフォーマットのために構成され得る。
【００７２】
[0085]図４は、本開示の様々な態様による、ＵＣＩの異なるフォーマットのために使用され得る異なる周波数リソースインターレースセグメント４００の一例を示す。いくつかの例では、周波数リソースインターレースセグメント４００は、図３を参照しながら説明された第１の周波数リソースインターレース３０５のセグメントであり得る。
【００７３】
[0086]図４の例では、周波数リソースインターレースセグメント４００の異なるリソースブロックは、ＰＵＣＣＨを使用して送信されるべきＵＣＩ情報の異なるフォーマットのために構成され得る。たとえば、リソースブロックの第１のサブセット４０５は、ＰＵＣＣＨフォーマット３送信のために割り振られた第１の周波数リソースインターレースセグメントを形成し得る。リソースブロックの第２のサブセット４１０は、この例では、ＰＵＣＣＨフォーマット２送信のために割り振られた第２の周波数リソースインターレースセグメントを形成し得る。いくつかの例では、１つまたは複数のフォーマットは、構成された複数のセグメントを有し、異なるセグメントは、送信されるべきであるＵＣＩに関連する１つまたは複数のパラメータに基づいて選択され得る。図４の例では、ＰＵＣＣＨフォーマット４は、ＤＣＩのペイロードサイズに基づいて構成された複数のセグメントを有し得る。この例では、リソースブロックの第３のサブセット４１５は、少数のＲＢを用いるＰＵＣＣＨフォーマット４送信のために割り振られた第３の周波数リソースインターレースセグメントを形成し得、リソースブロックの第４のサブセット４２０は、多数のＲＢを用いるＰＵＣＣＨフォーマット４送信のために割り振られた第４の周波数リソースインターレースセグメントを形成し得る。少数のＲＢ対多数のＲＢのためのしきい値、およびしたがってリソースブロックの第３のサブセット４１５またはリソースブロックの第４のサブセット４２０を選択するためのしきい値は、異なるセグメントのために割り振られたＲＢの数に基づいて決定され得る。特定のフォーマットのためのそのような異なるセグメントは、ＵＥが、ＵＣＩのペイロードサイズとより密接に整合されたリソースを選択することを可能にし得る。
【００７４】
[0087]上記のように、ＵＥは、ＰＵＣＣＨリソースを介して送信されるべきであるＵＣＩのフォーマットに基づいてＰＵＣＣＨリソースを選択し得る。ＵＥは、たとえば、ＲＲＣシグナリングを介して異なるＵＣＩフォーマットのための異なる割り振られたリソースで構成され得る。そのような技法は、周波数リソースインターレース全体ではなく、周波数リソースインターレースセグメントが異なるＵＣＩフォーマットに割り振られ得る（たとえば、図３の周波数リソースインターレース３０５はＰＵＣＣＨフォーマット３のために割り振られ、図３の周波数リソースインターレース３１０はＰＵＣＣＨフォーマット４のために割り振られる）ので、アップリンクリソースのより効率的な使用を与え得る。
【００７５】
[0088]図５は、本開示の態様による、共有無線周波数スペクトル帯域中のアップリンク制御チャネル送信をサポートするサブフレームベースリソース５００の一例を示す。いくつかの場合には、サブフレームベースリソース５００は、図１〜図２を参照しながら説明されたように、ＵＥまたは基地局によって実施される技法に従って割り振られ得る。サブフレームベースリソース５００は、異なるＵＣＩフォーマット送信に割り振られ得るアップリンク制御チャネル時間リソースの２つまたはそれ以上のサブセットを表し得る。
【００７６】
[0089]この例では、いくつかのサブフレーム５０５は、サブフレーム０  ５１０と、サブフレーム１  ５１５と、サブフレーム２  ５２０とを含み得る。基地局は、たとえば、ＰＵＣＣＨフォーマット２送信のためにサブフレーム０  ５１０のＰＵＣＣＨリソースを割り振り得、ＰＵＣＣＨフォーマット３送信のためにサブフレーム１  ５１５のＰＵＣＣＨリソースを割り振り得、ＰＵＣＣＨフォーマット４送信のためにサブフレーム２  ５２０のＰＵＣＣＨリソースを割り振り得る。各サブフレーム５０５は、たとえば、ＴＴＩに対応し得、基地局は、サブフレームごとに、またはＴＴＩごとにＵＣＩフォーマットを構成し得、ＰＵＣＣＨ送信のための異なるＵＣＩフォーマットが、異なるサブフレーム５０５中で同じＰＵＣＣＨリソースを使用して送信される。そのような場合、基地局は、（たとえば、ＨＡＲＱプロセスの数、ＣＳＩなど、ＵＥ２１５に関連する情報に基づいて）ＵＥが使用することになるＵＣＩのタイプを識別し得、識別されたＵＣＩフォーマットに対応するサブフレーム５０５中にＵＣＩを報告するようにＵＥをトリガし得る。いくつかの例では、基地局は、ＵＥのために識別されたＵＣＩタイプを有するサブフレーム５０５の間、アップリンク許可をＵＥに与えることを通して、ＵＥ２１５をトリガし得る。
【００７７】
[0090]図６は、本開示の態様による、共有無線周波数スペクトル帯域中のアップリンク制御チャネル送信をサポートするキャリアベースリソース６００の一例を示す。いくつかの場合には、キャリアベースリソース６００は、図１〜図２を参照しながら説明されたように、ＵＥまたは基地局によって実施される技法に従って割り振られ得る。キャリアベースリソース６００は、異なるＵＣＩフォーマット送信に割り振られ得るアップリンク制御チャネル周波数リソースの２つまたはそれ以上のサブセットを表し得る。
【００７８】
[0091]この例では、いくつかのアップリンクコンポーネントキャリア６０５は、ＣＣ−１  ６１０と、ＣＣ−２  ６１５と、ＣＣ−ｎ  ６２０とを含み得る。基地局は、たとえば、ＰＵＣＣＨフォーマット２送信のためにＣＣ−１  ６１０のＰＵＣＣＨリソースを割り振り得、ＰＵＣＣＨフォーマット４送信のためにＣＣ−２  ６１５のＰＵＣＣＨリソースを割り振り得、ＰＵＣＣＨフォーマット３送信のためにＣＣ−ｎ  ６２０のＰＵＣＣＨリソースを割り振り得る。基地局はＣＣ６０５ごとにＵＣＩフォーマットを構成し、ＰＵＣＣＨ送信のための異なるＵＣＩフォーマットが、異なるアップリンクＣＣ６０５中でＰＵＣＣＨリソースを使用して送信され得る。そのような場合、基地局は、ＰＵＣＣＨ送信のためのアップリンクＣＣ６０５のＰＵＣＣＨリソースとともに、どのアップリンクＣＣ６０５が特定のタイプのＵＣＩを対応するかをシグナリングし得る。ＵＥはシグナリングを受信し、ＵＣＩ送信のために使用されるべきであるＵＣＩフォーマットを識別し、識別されたＵＣＩフォーマットに基づいてＵＣＩを送信するためのアップリンクＣＣ６０５を選択し得る。いくつかのさらなる例では、基地局は１つのＰＵＣＣＨ  ＵＣＩフォーマットのみを構成し得、ＵＥがＳＣｅｌｌ上のＰＵＣＣＨのために他のＵＣＩフォーマットを使用することを可能にしないことがある。
【００７９】
[0092]図７は、本開示の態様による、共有無線周波数スペクトル帯域中のアップリンク制御チャネル送信のためのペイロード決定のための方法７００の一例を示す。いくつかの場合には、方法７００は、図１〜図２を参照しながら説明されたように、ＵＥまたは基地局によって実施される技法の態様を表し得る。方法７００の動作は、図１および図２を参照しながら説明されたように、ＵＥなどのデバイスまたはそれの構成要素によって実装され得る。たとえば、方法７００の動作は、本明細書で説明されるように、ＵＥ  ＵＬ送信マネージャによって実施され得る。いくつかの例では、ＵＥは、以下で説明される機能を実施するようにデバイスの機能要素を制御するためのコードのセットを実行し得る。追加または代替として、ＵＥは、専用ハードウェアを使用して、以下で説明される機能態様を実施し得る。
【００８０】
[0093]図７の例では、ＵＥは、ＰＵＣＣＨ送信中で送信されるべきＰＵＣＣＨペイロードの少なくとも一部分として含まれるべきであるＢＳＲまたはＳＲデータを決定し得る。ブロック７０５において、ＵＥは、スケジューリング要求（ＳＲ）がＰＣｅｌｌ送信上で送信されるべきであると決定する。いくつかの例では、ＳＲは、送信されるべき関連データのためのアップリンク許可を受信するために比較的高い優先度をＳＲに与えるために、ＰＣｅｌｌ送信上で送信され得る。ブロック７１０において、バッファステータス報告（ＢＳＲ）がＳＲと同じサブフレーム中でＳＣｅｌｌ送信上で送信されるべきであるかどうかを決定する。ＢＳＲが同じサブフレーム中で送信されるべきでない場合、ＵＥは、ブロック７１５において、ＰＣｅｌｌ上でＳＲを送信する。
【００８１】
[0094]ブロック７１０において、ＢＳＲが、ＳＲにおける同じサブフレーム中でＳＣｅｌｌ送信上で送信されるべきであると決定された場合、ＵＥは、ブロック７２０において示されるように、ＰＣｅｌｌ上のＳＲ送信をドロップする。ブロック７２５において、ＵＥは、ＳＣｅｌｌ送信中でＢＳＲを送信する。ＢＳＲを受信する基地局は、ＵＥによって送信されるべきデータの量を決定するためにＢＳＲ中の情報を使用し得、そのような送信のためにアップリンクリソースを割り振り、ＵＥがデータを送信することを可能にするために１つまたは複数のアップリンク許可を与え得る。同様に、基地局がＵＥから、ブロック７１５において送信されたものなど、ＳＲを受信した場合、基地局は、ＵＥにアップリンクリソースを与えるためにスケジューリング要求中の情報を使用し得る。
【００８２】
[0095]いくつかの例では、ＵＥは、１つまたは複数のＣＣ中のＰＵＣＣＨリソースを使用して基地局に送信されるＵＣＩ中に含まれるべきである他の情報を識別し得る。そのような他の情報の一例はＨＡＲＱフィードバックであり得る。上記のように、ＵＥは、基地局からＵＥに送信されたデータのためのＡＣＫ／ＮＡＣＫを識別するいくつかのＨＡＲＱフィードバックビットを含み得るＨＡＲＱフィードバックを基地局に与え得る。いくつかの例では、ＨＡＲＱフィードバックは、トランスポートブロック（ＴＢ）レベルではなく、レガシーＬＴＥシステムに対して比較的大量のＨＡＲＱ  ＡＣＫ／ＮＡＣＫデータを生成し得るコードブロック（ＣＢ）レベルにおいて与えられ得る。いくつかの例では、ＵＥは、構成されたコンポーネントキャリアの数、コンポーネントキャリア当たりのＨＡＲＱプロセスの数、またはそれらの任意の組合せに少なくとも部分的に基づいて、ＵＣＩ中に含まれるべきＨＡＲＱフィードバックビットの数を識別し得る。したがって、特定のアップリンク送信のためのＡＣＫ／ＮＡＣＫビットの数は、ＵＥがＵＣＩフォーマットを識別するために使用し得る固定ペイロードサイズであり得る。
【００８３】
[0096]図８は、本開示の態様による、共有無線周波数スペクトル帯域中のアップリンク制御チャネル送信のためのチャネル状態情報（ＣＳＩ）報告のための方法８００の一例を示す。ＣＳＩは、たとえば、基地局の１つまたは複数の送信アンテナとＵＥの１つまたは複数の受信アンテナとの間の無線チャネルの特性を表す情報を含み得る。ＣＳＩ送信は周期ＣＳＩと非周期ＣＳＩとを含み得る。いくつかの場合には、方法８００は、図１〜図２を参照しながら説明されたように、ＵＥまたは基地局によって実施される技法の態様を表し得る。方法８００の動作は、図１および図２を参照しながら説明されたように、ＵＥなどのデバイスまたはそれの構成要素によって実装され得る。たとえば、方法８００の動作は、本明細書で説明されるように、ＵＥ  ＵＬ送信マネージャによって実施され得る。いくつかの例では、ＵＥは、以下で説明される機能を実施するようにデバイスの機能要素を制御するためのコードのセットを実行し得る。追加または代替として、ＵＥは、専用ハードウェアを使用して、以下で説明される機能態様を実施し得る。
【００８４】
[0097]図８の例では、ブロック８０５において、ＵＥは、周期ＣＳＩがサブフレーム中で送信されるべきであると決定する。いくつかの例では、周期ＣＳＩは、ＰＣｅｌｌ  ＰＵＣＣＨリソースを使用して送信され得る。共有無線周波数スペクトル帯域を使用するときに、周期ＣＳＩ送信は、ＵＥが周期ＣＳＩ送信の時間にチャネルアクセスを獲得しない場合、遅延され得る。ブロック８１０において、ＵＥは、非周期ＣＳＩが同じサブフレーム中で送信されるべきであると決定する。非周期ＣＳＩは、いくつかの例では、１つまたは複数のＲＲＣ構成されたＣＣのＰＵＳＣＨリソースを使用して、または非周期ＣＳＩトリガを含んでいるアップリンク許可中で示されるＣＣ上で送信され得る。いくつかの場合には、非周期ＣＳＩは、たとえば、ダウンリンク制御情報（ＤＣＩ）、ランダムアクセス応答許可中で、またはＵＥ固有ＰＤＣＣＨ探索空間中で送信されるＣＳＩ要求によってトリガされ得る。
【００８５】
[0098]したがって、非周期ＣＳＩおよび周期ＣＳＩにおける衝突が存在する。いくつかの既存の展開では、そのような衝突は、ＵＥが周期ＣＳＩをドロップし、非周期ＣＳＩのみを報告することを生じ得る。いくつかの例では、ＣＳＩ多重化はそのような衝突に基づき、周期ＣＳＩ送信に関連するペイロードサイズに基づき得る。ブロック８１５において、周期ＣＳＩのペイロードがペイロードサイズしきい値よりも小さいかまたはそれに等しいかどうかを決定する。周期ペイロードサイズがサイズしきい値よりも小さいかまたはそれに等しい場合、ＵＥは、ブロック８２０において、周期ＣＳＩ送信をドロップする。ブロック８２５において、ＵＥは、構成されたＰＵＳＣＨリソースを使用して非周期ＣＳＩを送信する。
【００８６】
[0099]ブロック８１５において、周期ＣＳＩのペイロードがペイロードサイズしきい値を超えると決定された場合、ＵＥは、ブロック８３０において示されるように、情報が周期ＣＳＩおよび非周期ＣＳＩ上で複製されるかどうかを決定する。そのような複製は、周期ＣＳＩおよび非周期ＣＳＩ中に冗長な情報が含まれることを示し得る。情報が複製されたと決定された場合、ＵＥは、周期ＣＳＩをドロップするために、上記で説明されたように、動作関連する上記ブロック８２０および８２５を実施し得る。いくつかの他の例では、ＵＥは周期ＣＳＩを送信し、非周期ＣＳＩをドロップし得る。またさらなる例では、ＵＥは、ペイロードサイズに基づいてどのＣＳＩをドロップすべきかを識別し得る。ＵＥが、ブロック８３０において、非周期ＣＳＩ情報および周期ＣＳＩ情報が複製されないと決定した場合、ＵＥは、ブロック８３５において示されるように、それぞれ、割り振られたＰＵＳＣＨリソースおよびＰＵＣＣＨリソース中で非周期ＣＳＩと周期ＣＳＩの両方を別々に送信する。
【００８７】
[0100]図９は、本開示の様々な態様による、共有無線周波数スペクトル帯域中のアップリンク制御チャネル送信のためのプロセスフロー９００の一例を示す。プロセスフロー９００は、図１〜図２を参照しながら説明された対応するデバイスの例であり得る、基地局９０５とＵＥ９１５とを含み得る。
【００８８】
[0101]ブロック９１０において、基地局９０５はＵＣＩリソースを構成する。いくつかの例では、基地局９０５は、アップリンク制御チャネル送信中でＵＣＩを送信するための複数の異なるＵＣＩフォーマットを識別し、複数の異なるＵＣＩフォーマットの各々について、アップリンク制御チャネルリソースのセットからアップリンク制御チャネルリソースの異なるサブセットを構成し得る。アップリンク制御チャネルリソースの各サブセットは、アップリンク制御チャネル周波数リソースのサブセット、アップリンク制御チャネル時間リソースのサブセット、またはそれらの組合せを含み得る。いくつかの例では、アップリンク制御チャネルリソースの各サブセットは、周波数リソースインターレースのセットと周波数リソースインターレースセグメントのセットとを含み得、ここで、周波数リソースインターレースセグメントのセットの各周波数リソースインターレースセグメントは、周波数リソースインターレースのセットの周波数リソースインターレースのリソースの一部分を含み得る。他の例では、アップリンク制御チャネルリソースの各サブセットは、複数のサブフレームの異なるサブフレームのアップリンク制御チャネルリソースのサブセットを含み得、基地局９０５は、異なるＵＣＩフォーマットのために異なるサブフレームのアップリンク制御チャネルリソースを構成し得る。いくつかの例では、アップリンク制御チャネルリソースの各サブセットは、異なるコンポーネントキャリアのアップリンク制御チャネルリソースのサブセットを含み得、基地局は、異なるＵＣＩフォーマットのための異なるコンポーネントキャリアのためのアップリンク制御チャネルリソースのサブセットを構成し得る。さらなる例では、基地局９０５は、第１のＵＣＩフォーマットのための第１のＴＴＩ（たとえば、第１のサブフレーム）のアップリンク制御チャネルリソースの第１のセットと、第２のＵＣＩフォーマットのための第２のＴＴＩのアップリンク制御チャネルリソースの第２のセットとを構成し得る。いくつかの例では、第１および第２のＴＴＩのアップリンク制御チャネルリソースは、各ＴＴＩ内の同じリソースであり得る。
【００８９】
[0102]基地局９０５とＵＥ９１５とは接続９２０を確立し得る。基地局９０５とＵＥ９１５とは、確立された接続確立技法または接続再確立技法に従って接続９２０を確立し得、それは、専用無線周波数スペクトル帯域、共有無線周波数スペクトル帯域、またはそれらの組合せを使用し得る、複数のＣＣ上で接続を確立することを含み得る。いくつかの例では、基地局９０５は、（たとえば、ＲＲＣ構成を介して）接続確立９２０の一部として、アップリンク制御チャネルリソースの構成されたサブセットをＵＥ９１５にシグナリングし得る。
【００９０】
[0103]基地局９０５は、ブロック９２５において、アップリンク許可リソースを決定する。基地局９０５は、ほんのいくつかの例を挙げれば、ＵＥ９１５のＢＳＲ、ＨＡＲＱ再送信指示、またはＵＥ９１５から受信されたＳＲを含む、様々なファクタに基づいてアップリンク許可リソースを決定し得る。いくつかの例では、基地局９０５は、ＵＥ９１５のための決定されたＵＣＩタイプに基づいてアップリンク許可リソースを決定し得、アップリンク許可のＴＴＩに関連するＰＵＣＣＨリソースが、ＵＥによって使用されるべきであるＵＣＩフォーマットに対応する場合、ＵＥ９１５にアップリンクリソースを許可し得る。基地局９０５は、ＵＥ９１５に割り振られたアップリンクリソースを示し得るＵＬ許可９３０を送信し得る。いくつかの例では、ＵＬ許可はまた、アップリンクＵＣＩ送信のために使用すべきＵＣＩフォーマットの動的指示をＵＥに与え得る。いくつかの例では、そのような動的指示は、ＵＬ許可９３０の専用シグナリング中ではなく、ＰＤＣＣＨシグナリングなどの共通シグナリング中で与えられ得る。
【００９１】
[0104]ブロック９３５において、ＵＥ９１５はＵＣＩフォーマットを識別する。ＵＣＩフォーマットは、たとえば、送信されるべきＨＡＲＱフィードバックのペイロードなど、ＵＣＩのペイロード、構成されたＣＣの数、送信されるべきＳＲ、ＢＳＲ、またはＣＳＩの存在、あるいはそれらの任意の組合せに基づいて識別され得る。いくつかの例では、基地局９０５は、使用すべきＵＣＩフォーマットをシグナリングし得、ＵＥ９１５は、示されたＵＣＩフォーマットに基づいてＵＣＩペイロードを決定し得る。
【００９２】
[0105]ブロック９４０において、ＵＥ９１５はＵＣＩリソースを識別する。そのような識別は、たとえば、識別されたＵＣＩフォーマットに少なくとも部分的に基づいて、構成されたアップリンク制御チャネルリソースのセットからアップリンク制御チャネルリソースの第１のサブセットを識別することを含み得、構成されたアップリンク制御チャネルリソースのセットは、アップリンク制御チャネル周波数リソース、時間リソース、またはそれらの組合せの複数のサブセットを含む。いくつかの例では、構成されたアップリンク制御チャネルリソースのセットの異なるサブセットは、異なるＵＣＩフォーマットに対応する。いくつかの例では、構成されたアップリンク制御チャネルリソースのセットは、周波数リソースインターレースの第１のセットと周波数リソースインターレースセグメントの第１のセットとを含み得、周波数リソースインターレースセグメントの第１のセットの各周波数リソースインターレースセグメントは、周波数リソースインターレースの第１のセットの周波数リソースインターレースのリソースの一部分を含み得る。そのような例では、ＵＥ９１５は、識別されたＵＣＩフォーマットに少なくとも部分的に基づいて、周波数リソースインターレースセグメントの第１のセットの第１のサブセットとして、アップリンク制御チャネルリソースの第１のサブセットを識別し得る。
【００９３】
[0106]いくつかの例では、構成されたアップリンク制御チャネルリソースのセットは、複数のサブフレームのアップリンク制御チャネルリソースのサブセットを含み得、異なるサブフレームのためのアップリンク制御チャネルリソースのサブセットは、異なるＵＣＩフォーマットのために構成され、アップリンク制御チャネルリソースの第１のサブセットは、識別されたＵＣＩフォーマットに対応するサブフレームに従ってＵＥ９１５によって識別され得る。さらなる例では、構成されたアップリンク制御チャネルリソースのセットは、複数のアップリンクコンポーネントキャリアのアップリンク制御チャネルリソースのサブセットを含み得、異なるコンポーネントキャリアのためのアップリンク制御チャネルリソースのサブセットは、異なるＵＣＩフォーマットのために構成され、ＵＥ９１５は、識別されたＵＣＩフォーマットに少なくとも部分的に基づいて第１のコンポーネントキャリアのリソースとして、アップリンク制御チャネルリソースの第１のサブセットを識別し得る。さらなる例では、ＵＣＩリソースは、ＵＣＩフォーマットを示し得るかまたはＵＣＩリソースを示し得る、アップリンク許可９３０中のシグナリングにおいて基づいて、識別され得る。
【００９４】
[0107]随意のブロック９４５において、ＵＥ９１５は、送信されるべきＳＲ／ＢＳＲ／ＣＳＩ情報を決定する。いくつかの例では、ＳＲ／ＢＳＲ／ＣＳＩ情報のすべてまたは部分は送信されるか、または上記で説明されたものなどの１つまたは複数のドロッピングルールに基づいてドロップされ得る。たとえば、ＵＥ９１５は、バッファステータス報告（ＢＳＲ）がＵＣＩ中に含まれ、第１のサブフレーム中で２次コンポーネントキャリアのアップリンク制御チャネルリソースの第１のサブセットを使用して送信されるべきであることを識別することに少なくとも部分的に基づいて、１次コンポーネントキャリアを使用するＳＲの送信をドロップすることを決定し得る。他の例では、ＵＥ９１５は、周期ＣＳＩがＵＣＩ中に含まれ、第１のサブフレーム中で送信されるべきであることと、非周期ＣＳＩが、アップリンク制御チャネルリソースの第１のサブセットとは異なるリソースを使用して第１のサブフレーム中に送信されるべきであることとを識別し得、ＵＥは、周期ＣＳＩのペイロードのサイズに少なくとも部分的に基づいて、ＵＣＩから周期ＣＳＩをドロップし得る。いくらかの情報のそのようなドロッピングは、たとえば、ＲＲＣシグナリングを通してなど、基地局９０５によって構成され得る。ＵＥ９１５は、識別されたＵＣＩフォーマットに対応するリソース上で送信される識別されたＵＣＩフォーマットによるＵＣＩを含み得るアップリンク送信９５０を基地局９０５に送信する。いくつかの例では、基地局９０５は、ＵＥ９１５が、シグナリングされた第１のＵＣＩフォーマット以外の複数の異なるＵＣＩフォーマットのＵＣＩフォーマットを使用することを禁止し得る。
【００９５】
[0108]図１０は、本開示の様々な態様による、共有無線周波数スペクトル帯域中のアップリンク制御チャネル送信をサポートするワイヤレスデバイス１０００のブロック図を示す。ワイヤレスデバイス１０００は、図１および図２を参照しながら説明されたＵＥの態様の一例であり得る。ワイヤレスデバイス１０００は、受信機１００５と、送信機１０３０と、ＵＥ  ＵＬ送信マネージャ１０１０とを含み得る。ワイヤレスデバイス１０００はプロセッサをも含み得る。これらの構成要素の各々は互いと通信していることがある。
【００９６】
[0109]いくつかの例では、受信機１００５は、専用無線周波数スペクトル帯域（たとえば、特定の使用のために特定のユーザに認可された無線周波数スペクトル帯域）、または共有無線周波数スペクトル帯域（たとえば、Ｗｉ−Ｆｉ使用のために利用可能な無線周波数スペクトル帯域、異なる無線アクセス技術による使用のために利用可能な無線周波数スペクトル帯域、あるいは等しく共有されるかまたは優先度を付けられた様式で複数のＭＮＯが使用するために利用可能な無線周波数スペクトル帯域）上で送信を受信するように動作可能な少なくとも１つの無線周波数（ＲＦ）受信機など、少なくとも１つのＲＦ受信機を含み得る。いくつかの例では、専用無線周波数スペクトル帯域または共有無線周波数スペクトル帯域は、たとえば、図１〜図９を参照しながら説明されたように、ＬＴＥ／ＬＴＥ−Ａ通信のために使用され得る。受信機１００５は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機１０１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機１０１４）の形態をとり得る。専用ＲＦスペクトル帯域のためのＬＴＥ／ＬＴＥ−Ａ受信機１０１２または共有ＲＦスペクトル帯域のためのＬＴＥ／ＬＴＥ−Ａ受信機１０１４を含む受信機１００５は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【００９７】
[0110]いくつかの例では、送信機１０３０は、専用無線周波数スペクトル帯域または共有無線周波数スペクトル帯域上で送信するように動作可能な少なくとも１つのＲＦ送信機など、少なくとも１つのＲＦ送信機を含み得る。送信機１０３０は、いくつかの場合には、専用無線周波数スペクトル帯域または共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機１０３２）、および共有ＲＦスペクトル帯域上で通信するためのＬＴＥ／ＬＴＥ−Ａ送信機（たとえば、共有ＲＦスペクトル帯域のためのＬＴＥ／ＬＴＥ−Ａ送信機１０３４）の形態をとり得る。専用ＲＦスペクトル帯域のためのＬＴＥ／ＬＴＥ−Ａ送信機１０３２または共有ＲＦスペクトル帯域のためのＬＴＥ／ＬＴＥ−Ａ送信機１０３４を含む送信機１０３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、専用ＲＦスペクトル帯域または共有ＲＦスペクトル帯域上で確立され得る。
【００９８】
[0111]ＵＥ  ＵＬ送信マネージャ１０１０は、アップリンク制御チャネル送信を使用してＵＣＩを送信するためのＵＣＩフォーマットを識別し、識別されたＵＣＩフォーマットに基づいて、構成されたアップリンク制御チャネルリソースのセットからアップリンク制御チャネルリソースの第１のサブセットを識別し得る。構成されたアップリンク制御チャネルリソースのセットは、アップリンク制御チャネル周波数リソースのサブセットのセット、アップリンク制御チャネル時間リソースのサブセットのセット、またはそれらの組合せを含み得、構成されたアップリンク制御チャネルリソースのセットの異なるサブセットは、異なるＵＣＩフォーマットに対応し得る。ＵＥ  ＵＬ送信マネージャ１０１０は、アップリンク制御チャネルリソースの第１のサブセットを使用してＵＣＩを通信し得る。
【００９９】
[0112]ＵＥ  ＵＬ送信マネージャ１０１０は、ＵＣＩフォーマット構成要素１０１５と、ＵＬリソース構成要素１０２０と、ＵＬ通信構成要素１０２５とを含み得る。ＵＣＩフォーマット構成要素１０１５は、ＵＣＩのペイロードに基づいてアップリンク制御チャネル送信を使用してＵＣＩを送信するためのＵＣＩフォーマットを識別し得る。いくつかの場合には、ＵＣＩフォーマット構成要素１０１５は、ＵＣＩを送信するためのＵＣＩフォーマットを示すシグナリングを受信し得、ＵＣＩは、示されたＵＣＩフォーマットを使用して送信され得る。いくつかの場合には、シグナリングはＰＤＣＣＨシグナリング中で、またはアップリンク許可中で受信される。
【０１００】
[0113]ＵＬリソース構成要素１０２０は、識別されたＵＣＩフォーマットに基づいて、構成されたアップリンク制御チャネルリソースのセットからアップリンク制御チャネルリソースの第１のサブセットを識別し得、構成されたアップリンク制御チャネルリソースのセットは、アップリンク制御チャネル周波数リソースのサブセットのセット、アップリンク制御チャネル時間リソースのサブセットのセット、またはそれらの組合せを含み得、ここで、構成されたアップリンク制御チャネルリソースのセットの異なるサブセットは、異なるＵＣＩフォーマットに対応する。
【０１０１】
[0114]いくつかの場合には、構成されたアップリンク制御チャネルリソースのセットは、サブフレームのセットのアップリンク制御チャネルリソースのサブセットを含み、異なるサブフレームのためのアップリンク制御チャネルリソースのサブセットは、異なるＵＣＩフォーマットのために構成される。そのような場合、アップリンク制御チャネルリソースの第１のサブセットを識別することは、識別されたＵＣＩフォーマットに基づいて第１のサブフレームのアップリンク制御チャネルの第１のセットの第１のサブセットを識別することを含み得る。いくつかの場合には、構成されたアップリンク制御チャネルリソースのセットは、アップリンクコンポーネントキャリアのセットのアップリンク制御チャネルリソースのサブセットを含み、異なるコンポーネントキャリアのためのアップリンク制御チャネルリソースのサブセットは、異なるＵＣＩフォーマットのために構成され、ここで、アップリンク制御チャネルリソースの第１のサブセットを識別することは、識別されたＵＣＩフォーマットに基づいて、第１のコンポーネントキャリアのアップリンク制御チャネルの第１のセットの第１のサブセットを識別することを含む。
【０１０２】
[0115]いくつかの場合には、リソースの第１のセットは共有無線周波数スペクトル帯域中にある。いくつかの場合には、構成されたアップリンク制御チャネルリソースのセットは、周波数リソースインターレースの第１のセットと周波数リソースインターレースセグメントの第１のセットとを含み、周波数リソースインターレースセグメントの第１のセットの各周波数リソースインターレースセグメントは、周波数リソースインターレースの第１のセットの周波数リソースインターレースのリソースの一部分を含み、ここで、アップリンク制御チャネルリソースの第１のサブセットを識別することは、識別されたＵＣＩフォーマットに基づいて、周波数リソースインターレースセグメントの第１のセットの第１のサブセットを識別することを含む。ＵＬ通信構成要素１０２５は、アップリンク制御チャネルリソースの第１のサブセットを使用してＵＣＩを通信し得る。
【０１０３】
[0116]図１１は、ワイヤレスデバイス１０００の対応する構成要素の一例であり得るＵＥ  ＵＬ送信マネージャ１１００のブロック図を示す。すなわち、ＵＥ  ＵＬ送信マネージャ１１００は、図１０を参照しながら説明されたＵＥ  ＵＬ送信マネージャ１０１０の態様の一例であり得る。ＵＥ  ＵＬ送信マネージャ１１００は、図１２を参照しながら説明されたＵＥ  ＵＬ送信マネージャ１２４０の態様の一例でもあり得る。
【０１０４】
[0117]ＵＥ  ＵＬ送信マネージャ１１００は、ＵＬリソース構成要素１１０５と、ＵＬ許可構成要素１１１０と、ＳＲドロッピング構成要素１１１５と、ＣＳＩドロッピング構成要素１１２０と、ＨＡＲＱ構成要素１１２５と、ＵＬ通信構成要素１１３０と、ＵＣＩフォーマット構成要素１１３５とを含み得る。これらのモジュールの各々は、直接または間接的に、（たとえば、１つまたは複数のバスを介して）互いと通信し得る。
【０１０５】
[0118]ＵＬリソース構成要素１０２０は、識別されたＵＣＩフォーマットに基づいて、構成されたアップリンク制御チャネルリソースのセットからアップリンク制御チャネルリソースの第１のサブセットを識別し得、構成されたアップリンク制御チャネルリソースのセットは、アップリンク制御チャネル周波数リソースのサブセットのセット、アップリンク制御チャネル時間リソースのサブセットのセット、またはそれらの組合せを含み、ここで、構成されたアップリンク制御チャネルリソースのセットの異なるサブセットは、異なるＵＣＩフォーマットに対応する。
【０１０６】
[0119]ＵＬ許可構成要素１１１０は第１のアップリンク制御チャネル送信のための第１のアップリンク許可を受信し得、第１のアップリンク許可はアップリンク制御チャネルリソースの第１のサブセットの割振りを含み、ここで、ＵＣＩを通信することは、第１のアップリンク許可中で割り振られたアップリンク制御チャネルリソースの第１のサブセットを使用してＵＣＩを送信することを含む。
【０１０７】
[0120]ＳＲドロッピング構成要素１１１５は、第１のサブフレーム中で１次コンポーネントキャリアを使用して送信されるべきＳＲを識別し、ＢＳＲがＵＣＩ中に含まれ、第１のサブフレーム中で２次コンポーネントキャリアのアップリンク制御チャネルリソースの第１のサブセットを使用して送信されるべきであることを識別することに基づいて、１次コンポーネントキャリアを使用するＳＲの送信をドロップし得る。
【０１０８】
[0121]ＣＳＩドロッピング構成要素１１２０は、周期ＣＳＩがＵＣＩ中に含まれ、第１のサブフレーム中で送信されるべきであることを識別し、非周期ＣＳＩが、アップリンク制御チャネルリソースの第１のサブセットとは異なるリソースを使用して第１のサブフレーム中に送信されるべきであることを識別し、周期ＣＳＩのペイロードのサイズに基づいてＵＣＩから周期ＣＳＩをドロップし得る。
【０１０９】
[0122]ＨＡＲＱ構成要素１１２５は、構成されたコンポーネントキャリアの数、コンポーネントキャリア当たりのＨＡＲＱプロセスの数、またはそれらの任意の組合せに基づいて、ＵＣＩ中に含まれるべきＨＡＲＱフィードバックビットの数を識別し得る。ＵＬ通信構成要素１１３０は、アップリンク制御チャネルリソースの第１のサブセットを使用してＵＣＩを通信し得る。
【０１１０】
[0123]ＵＣＩフォーマット構成要素１１３５は、ＵＣＩを送信するためのＵＣＩフォーマットを示すシグナリングを受信することと、ここにおいて、ＵＣＩを通信することが、示されたＵＣＩフォーマットを使用してＵＣＩを送信することを含む、アップリンク制御チャネル送信を使用してＵＣＩを送信するためのＵＣＩフォーマットを識別することとを行い得る。いくつかの場合には、シグナリングはＰＤＣＣＨシグナリング中で、またはアップリンク許可中で受信される。
【０１１１】
[0124]図１２は、本開示の様々な態様による、共有無線周波数スペクトル帯域中のアップリンク制御チャネル送信をサポートするデバイスを含むシステム１２００のブロック図である。たとえば、システム１２００は、図１〜図１１を参照しながら説明されたように、ワイヤレスデバイス１０００、またはＵＥの一例であり得る、ＵＥ１２１５を含み得る。ＵＥ１２０５は、図１〜図１１を参照しながら説明されたように、基地局の一例であり得る基地局１２０５と通信していることがある。
【０１１２】
[0125]ＵＥ１２１５はまた、ＵＥ  ＵＬ送信マネージャ１２４０と、メモリ１２１０と、プロセッサ１２２０と、トランシーバ１２２５と、アンテナ１２３０と、ＥＣＣモジュール１２３５とを含み得る。これらのモジュールの各々は、直接または間接的に、（たとえば、１つまたは複数のバスを介して）互いと通信し得る。ＵＥ  ＵＬ送信マネージャ１２４０は、図１０〜図１１を参照しながら説明されたように、ＵＥ  ＵＬ送信マネージャの一例であり得る。
【０１１３】
[0126]メモリ１２１０は、ランダムアクセスメモリ（ＲＡＭ）および読取り専用メモリ（ＲＯＭ）を含み得る。メモリ１２１０は、実行されたとき、プロセッサに本明細書で説明される様々な機能（たとえば、共有無線周波数スペクトル帯域中のアップリンク制御チャネル送信など）を実施させる命令を含むコンピュータ可読、コンピュータ実行可能ソフトウェアを記憶し得る。いくつかの場合には、ソフトウェア１２１２は、プロセッサによって直接的に実行可能でないことがあるが、（たとえば、コンパイルされ実行されたとき）コンピュータに本明細書で説明される機能を実施させ得る。プロセッサ１２２０は、インテリジェントハードウェアデバイス、（たとえば、中央処理ユニット（ＣＰＵ）、マイクロコントローラ、特定用途向け集積回路（ＡＳＩＣ）など）を含み得る
[0127]トランシーバ１２２５は、上記で説明されたように、１つまたは複数のアンテナ、ワイヤードリンク、またはワイヤレスリンクを介して、１つまたは複数のネットワークと双方向に通信し得る。たとえば、トランシーバ１２２５は、基地局またはＵＥと双方向に通信し得る。トランシーバ１２２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１２３０を含み得る。しかしながら、いくつかの場合には、デバイスは、複数のワイヤレス送信をコンカレントに送信または受信することが可能であり得る２つ以上のアンテナを有し得る。
【０１１４】
[0128]拡張コンポーネントキャリア（ＥＣＣ：enhanced component carrier）モジュール１２３５は、共有または無認可スペクトルを使用する通信、低減ＴＴＩまたはサブフレーム持続時間を使用する通信、あるいは多数のコンポーネントキャリアを使用する通信など、ＥＣＣを使用する動作を可能にし得る。
【０１１５】
[0129]図１３は、本開示の様々な態様による、共有無線周波数スペクトル帯域中のアップリンク制御チャネル送信をサポートするワイヤレスデバイス１３００のブロック図を示す。ワイヤレスデバイス１３００は、図１および図２を参照しながら説明された基地局１０５または２０５の態様の一例であり得る。ワイヤレスデバイス１３００は、受信機１３０５と、送信機１３３５と、基地局ＵＬ送信マネージャ１３１０とを含み得る。ワイヤレスデバイス１３００はプロセッサをも含み得る。これらの構成要素の各々は互いと通信していることがある。
【０１１６】
[0130]いくつかの例では、受信機１３０５は、専用無線周波数スペクトル帯域（たとえば、特定の使用のために特定のユーザに認可された無線周波数スペクトル帯域）、または共有無線周波数スペクトル帯域（たとえば、Ｗｉ−Ｆｉ使用のために利用可能な無線周波数スペクトル帯域、異なる無線アクセス技術による使用のために利用可能な無線周波数スペクトル帯域、あるいは等しく共有されるかまたは優先度を付けられた様式で複数のＭＮＯが使用するために利用可能な無線周波数スペクトル帯域）上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１〜図９を参照しながら説明されたように、ＬＴＥ／ＬＴＥ−Ａ通信のために使用され得る。受信機１３０５は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機１３１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機１３１４）の形態をとり得る。専用ＲＦスペクトル帯域のためのＬＴＥ／ＬＴＥ−Ａ受信機１３１２または共有ＲＦスペクトル帯域のためのＬＴＥ／ＬＴＥ−Ａ受信機１３１４を含む受信機１３０５は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１１７】
[0131]いくつかの例では、送信機１３３５は、専用無線周波数スペクトル帯域または共有無線周波数スペクトル帯域上で送信するように動作可能な少なくとも１つのＲＦ送信機など、少なくとも１つのＲＦ送信機を含み得る。送信機１３３５は、いくつかの場合には、専用無線周波数スペクトル帯域または共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機１３３２）、および共有ＲＦスペクトル帯域上で通信するためのＬＴＥ／ＬＴＥ−Ａ送信機（たとえば、共有ＲＦスペクトル帯域のためのＬＴＥ／ＬＴＥ−Ａ送信機１３３４）の形態をとり得る。専用ＲＦスペクトル帯域のためのＬＴＥ／ＬＴＥ−Ａ送信機１３３２または共有ＲＦスペクトル帯域のためのＬＴＥ／ＬＴＥ−Ａ送信機１３３４を含む送信機１３３５は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、専用ＲＦスペクトル帯域または共有ＲＦスペクトル帯域上で確立され得る。
【０１１８】
[0132]基地局ＵＬ送信マネージャ１３１０は、アップリンク制御チャネル送信中でＵＣＩを送信するための異なるＵＣＩフォーマットのセットを識別することと、異なるＵＣＩフォーマットのセットの各々について、アップリンク制御チャネルリソースのセットからアップリンク制御チャネルリソースの異なるサブセットを構成することと、ここで、アップリンク制御チャネルリソースの各サブセットが、アップリンク制御チャネル周波数リソースのサブセット、アップリンク制御チャネル時間リソースのサブセット、またはそれらの組合せを含む、アップリンク制御チャネルリソースの構成されたサブセットを１つまたは複数の受信機に通信することとを行い得る。
【０１１９】
[0133]基地局ＵＬ送信マネージャ１３１０はまた、アップリンク制御チャネル送信中でＵＣＩを送信するための異なるＵＣＩフォーマットのセットを識別することと、第１のＵＣＩフォーマットのための第１のＴＴＩのアップリンク制御チャネルリソースの第１のセット、および第２のＵＣＩフォーマットのための第２のＴＴＩのアップリンク制御チャネルリソースの第２のセットを構成することと、少なくとも、第１のＵＣＩフォーマットを使用して送信すべきである第１のＵＥ、および第２のＵＣＩフォーマットを使用して送信すべきである第２のＵＥを識別することと、第１のＵＥを第１のＴＴＩ中に送信するようにトリガし、第２のＵＥを第２のＴＴＩ中に送信するようにトリガすることとを行い得る。
【０１２０】
[0134]基地局ＵＬ送信マネージャ１３１０はまた、アップリンク制御チャネル送信中でＵＣＩを送信するための異なるＵＣＩフォーマットのセットを識別することと、ＵＣＩを送信するために第１のＵＣＩフォーマットを使用するように少なくとも第１のＵＥを構成することと、第１のＵＣＩフォーマットを使用するための構成を第１のＵＥに通信することとを行い得る。基地局ＵＬ送信マネージャ１３１０は、図１５を参照しながら説明される基地局ＵＬ送信マネージャ１５４５の態様の一例でもあり得る。
【０１２１】
[0135]基地局ＵＬ送信マネージャ１３１０は、ＵＣＩフォーマット構成要素１３１５と、ＵＬリソース構成要素１３２０と、ＵＬ通信構成要素１３２５と、ＵＥトリガ構成要素１３３０とを含み得る。基地局ＵＬ送信マネージャ１３１０は、図１５を参照しながら説明される基地局ＵＬ送信マネージャ１５４５の態様の一例であり得る。
【０１２２】
[0136]ＵＣＩフォーマット構成要素１３１５は、アップリンク制御チャネル送信中でＵＣＩを送信するための異なるＵＣＩフォーマットのセットを識別することと、ＵＣＩを送信するための第１のＵＣＩフォーマットを使用するように少なくとも第１のＵＥを構成することとを行い得る。いくつかの場合には、ＵＣＩを送信するために第１のＵＣＩフォーマットを使用するように少なくとも第１のＵＥを構成することは、第１のＵＥが、第１のＵＣＩフォーマット以外の異なるＵＣＩフォーマットのセットのＵＣＩフォーマットを使用することを禁止することをさらに含む。
【０１２３】
[0137]ＵＬリソース構成要素１３２０は、異なるＵＣＩフォーマットのセットの各々について、アップリンク制御チャネルリソースのセットからアップリンク制御チャネルリソースの異なるサブセットを構成することと、ここで、アップリンク制御チャネルリソースの各サブセットが、アップリンク制御チャネル周波数リソースのサブセット、アップリンク制御チャネル時間リソースのサブセット、またはそれらの組合せを含む、第１のＵＣＩフォーマットのための第１のＴＴＩのアップリンク制御チャネルリソースの第１のセット、および第２のＵＣＩフォーマットのための第２のＴＴＩのアップリンク制御チャネルリソースの第２のセットを構成することとを行い得る。
【０１２４】
[0138]いくつかの場合には、アップリンク制御チャネルリソースの各サブセットは、周波数リソースインターレースのセットと周波数リソースインターレースセグメントのセットとを含み、周波数リソースインターレースセグメントのセットの各周波数リソースインターレースセグメントは、周波数リソースインターレースのセットの周波数リソースインターレースのリソースの一部分を含む。いくつかの場合には、アップリンク制御チャネルリソースの各サブセットは、サブフレームのセットの異なるサブフレームのアップリンク制御チャネルリソースのサブセットを含み、ここで、アップリンク制御チャネルリソースの異なるサブセットを構成することは、異なるＵＣＩフォーマットのために異なるサブフレームのためのアップリンク制御チャネルリソースのサブセットを構成することを含む。
【０１２５】
[0139]いくつかの場合には、アップリンク制御チャネルリソースの各サブセットは、異なるコンポーネントキャリアのアップリンク制御チャネルリソースのサブセットを含み、ここで、アップリンク制御チャネルリソースの異なるサブセットを構成することは、異なるＵＣＩフォーマットのために異なるコンポーネントキャリアのためのアップリンク制御チャネルリソースのサブセットを構成することを含む。いくつかの場合には、アップリンク制御チャネルリソースのセットは共有無線周波数スペクトル帯域中にある。
【０１２６】
[0140]ＵＬ通信構成要素１３２５は、アップリンク制御チャネルリソースの構成されたサブセットを１つまたは複数の受信機に通信し、第１のＵＣＩフォーマットを使用するための構成を第１のＵＥに通信し得る。ＵＥトリガ構成要素１３３０は、少なくとも、第１のＵＣＩフォーマットを使用して送信すべきである第１のＵＥ、および第２のＵＣＩフォーマットを使用して送信すべきである第２のＵＥを識別し、第１のＵＥを第１のＴＴＩ中に送信するようにトリガし、第２のＵＥを第２のＴＴＩ中に送信するようにトリガし得る。
【０１２７】
[0141]いくつかの場合には、アップリンク制御チャネルリソースの第１のサブセットおよび制御チャネルリソースの第２のサブセットは、第１のＴＴＩおよび第２のＴＴＩ内の同じ、周波数リソースインターレースのセットおよび周波数リソースインターレースセグメントのセットに対応し、ここで、周波数リソースインターレースセグメントのセットの各周波数リソースインターレースセグメントは、周波数リソースインターレースのセットの周波数リソースインターレースのリソースの一部分を含む。いくつかの場合には、第１のＵＥを第１のＴＴＩ中に送信するようにトリガし、第２のＵＥを第２のＴＴＩ中に送信するようにトリガすることは、第１のＴＴＩ中のアップリンク送信のための第１のアップリンク許可を第１のＵＥに送信することを含む。
【０１２８】
[0142]図１４は、ワイヤレスデバイス１３００の対応する構成要素の一例であり得る基地局ＵＬ送信マネージャ１４００のブロック図を示す。すなわち、基地局ＵＬ送信マネージャ１４００は、図１３を参照しながら説明された基地局ＵＬ送信マネージャ１３１０の態様の一例であり得る。基地局ＵＬ送信マネージャ１４００は、図１５を参照しながら説明される基地局ＵＬ送信マネージャ１５４５の態様の一例でもあり得る。
【０１２９】
[0143]基地局ＵＬ送信マネージャ１４００は、ＳＲドロッピング構成要素１４０５と、ＵＬリソース構成要素１４１０と、ＵＣＩフォーマット構成要素１４１５と、ＵＥトリガ構成要素１４２０と、ＵＬ許可構成要素１４２５と、共通シグナリング構成要素１４３０と、ＵＬ通信構成要素１４３５と、ＣＳＩドロッピング構成要素１４４０とを含み得る。これらのモジュールの各々は、直接または間接的に、（たとえば、１つまたは複数のバスを介して）互いと通信し得る。
【０１３０】
[0144]ＳＲドロッピング構成要素１４０５は、ＢＳＲがＵＣＩ中に含まれ、第１のサブフレーム中で送信されるべきであるという識別に基づいて、第１のサブフレーム中の１次コンポーネントキャリアを使用するＳＲ送信をドロップするように１つまたは複数の受信機を構成し得る。
【０１３１】
[0145]ＵＬリソース構成要素１４１０は、異なるＵＣＩフォーマットのセットの各々について、アップリンク制御チャネルリソースのセットからアップリンク制御チャネルリソースの異なるサブセットを構成することと、ここで、アップリンク制御チャネルリソースの各サブセットが、アップリンク制御チャネル周波数リソースのサブセット、アップリンク制御チャネル時間リソースのサブセット、またはそれらの組合せを含む、第１のＵＣＩフォーマットのための第１のＴＴＩのアップリンク制御チャネルリソースの第１のセット、および第２のＵＣＩフォーマットのための第２のＴＴＩのアップリンク制御チャネルリソースの第２のセットを構成することとを行い得る。
【０１３２】
[0146]ＵＣＩフォーマット構成要素１４１５は、アップリンク制御チャネル送信中でＵＣＩを送信するための異なるＵＣＩフォーマットのセットを識別することと、ＵＣＩを送信するための第１のＵＣＩフォーマットを使用するように少なくとも第１のＵＥを構成することとを行い得る。ＵＥトリガ構成要素１４２０は、少なくとも、第１のＵＣＩフォーマットを使用して送信すべきである第１のＵＥ、および第２のＵＣＩフォーマットを使用して送信すべきである第２のＵＥを識別し、第１のＵＥを第１のＴＴＩ中に送信するようにトリガし、第２のＵＥを第２のＴＴＩ中に送信するようにトリガし得る。
【０１３３】
[0147]ＵＬ許可構成要素１４２５は、第２のＴＴＩ中のアップリンク送信のための第２のアップリンク許可を第２のＵＥに送信し得る。いくつかの場合には、第１のＵＥに構成を通信することは、ＵＣＩが第１のＵＣＩフォーマットを使用して送信されるべきであることを示すアップリンク許可を第１のＵＥに送信することを含む。
【０１３４】
[0148]共通シグナリング構成要素１４３０は、ＵＥのセットに送信されたＰＤＣＣＨシグナリングなどの共通シグナリングを通信し得る。いくつかの場合には、第１のＵＥに構成を通信することは、ＵＣＩが第１のＵＣＩフォーマットを使用して送信されるべきであるという共通シグナリングを第１のＵＥと１つまたは複数の他のＵＥとに送信することを含む。ＵＬ通信構成要素１４３５は、アップリンク制御チャネルリソースの構成されたサブセットを１つまたは複数の受信機に通信し、第１のＵＣＩフォーマットを使用するための構成を第１のＵＥに通信し得る。ＣＳＩドロッピング構成要素１４４０は、周期ＣＳＩのペイロードサイズと、非周期ＣＳＩが、アップリンク制御チャネルリソースの構成されたサブセットとは異なるリソースを使用して第１のサブフレーム中に送信されるべきであるという識別とに基づいて、第１のサブフレーム中にＵＣＩから周期ＣＳＩをドロップするように１つまたは複数の受信機を構成し得る。
【０１３５】
[0149]図１５は、本開示の様々な態様による、共有無線周波数スペクトル帯域中のアップリンク制御チャネル送信をサポートする、構成されたデバイスを含むワイヤレス通信システム１５００のブロック図を示す。たとえば、ワイヤレス通信システム１５００は、図１、図２および図１３〜図１４を参照しながら説明されたように、ワイヤレスデバイス１３００、あるいは基地局１０５または２０５の一例であり得る、基地局１５０５を含み得る。基地局１５０５は、通信を送信するための構成要素と通信を受信するための構成要素とを含む、双方向音声およびデータ通信のための構成要素をも含み得る。たとえば、基地局１５０５は、１つまたは複数のＵＥ１５１５と双方向に通信し得る。
【０１３６】
[0150]基地局１５０５は、基地局ＵＬ送信マネージャ１５４５と、メモリ１５１０と、プロセッサ１５２０と、トランシーバ１５２５と、アンテナ１５３０と、基地局通信モジュール１５３５と、ネットワーク通信モジュール１５４０とをも含み得る。これらのモジュールの各々は、直接または間接的に、（たとえば、１つまたは複数のバスを介して）互いと通信し得る。基地局ＵＬ送信マネージャ１５４５は、図１３〜図１４を参照しながら説明されたように、基地局ＵＬ送信マネージャの一例であり得る。
【０１３７】
[0151]メモリ１５１０はＲＡＭおよびＲＯＭを含み得る。メモリ１５１０は、実行されたとき、プロセッサに本明細書で説明される様々な機能（たとえば、共有無線周波数スペクトル帯域中のアップリンク制御チャネル送信など）を実施させる命令を含むコンピュータ可読、コンピュータ実行可能ソフトウェア１５１２を記憶し得る。いくつかの場合には、ソフトウェア１５１２は、プロセッサによって直接的に実行可能でないことがあるが、（たとえば、コンパイルされ実行されたとき）コンピュータに本明細書で説明される機能を実施させ得る。プロセッサ１５２０は、インテリジェントハードウェアデバイス、（たとえば、ＣＰＵ、マイクロコントローラ、ＡＳＩＣなど）を含み得る
[0152]トランシーバ１５２５は、上記で説明されたように、１つまたは複数のアンテナ、ワイヤードリンク、またはワイヤレスリンクを介して、１つまたは複数のネットワークと双方向に通信し得る。たとえば、トランシーバ１５２５は、基地局１５０５またはＵＥ１５１５と双方向に通信し得る。トランシーバ１５２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１５３０を含み得る。しかしながら、いくつかの場合には、デバイスは、複数のワイヤレス送信をコンカレントに送信または受信することが可能であり得る２つ以上のアンテナを有し得る。
【０１３８】
[0153]基地局通信モジュール１５３５は、他の基地局１５０５−ａおよび１５０５−ｂとの通信を管理し得、他の基地局１５０５−ａおよび１５０５−ｂと協働してＵＥ１５１５との通信を制御するためのコントローラまたはスケジューラを含み得る。たとえば、基地局通信モジュール１５３５は、ビームフォーミングまたはジョイント送信などの様々な干渉緩和技法のためのＵＥ１５１５への送信のためのスケジューリングを協調させ得る。いくつかの例では、基地局通信モジュール１５３５は、基地局１５０５間の通信を行うために、ＬＴＥ／ＬＴＥ−Ａワイヤレス通信ネットワーク技術内のＸ２インターフェースを与え得る。
【０１３９】
[0154]ネットワーク通信モジュール１５４０は、（たとえば、１つまたは複数のワイヤードバックホールリンクを介して）コアネットワーク１５５０との通信を管理し得る。たとえば、ネットワーク通信モジュール１５４０は、１つまたは複数のＵＥ１５１５など、クライアントデバイスのためのデータ通信の転送を管理し得る。
【０１４０】
[0155]図１６は、本開示の様々な態様による、共有無線周波数スペクトル帯域中のアップリンク制御チャネル送信のための方法１６００を示すフローチャートを示す。方法１６００の動作は、図１および図２を参照しながら説明されたように、ＵＥなどのデバイスまたはそれの構成要素によって実装され得る。たとえば、方法１６００の動作は、本明細書で説明されるように、ＵＥ  ＵＬ送信マネージャによって実施され得る。いくつかの例では、ＵＥは、以下で説明される機能を実施するようにデバイスの機能要素を制御するためのコードのセットを実行し得る。追加または代替として、ＵＥは、専用ハードウェアを使用して、以下で説明される機能態様を実施し得る。
【０１４１】
[0156]ブロック１６０５において、方法１６００は、図２〜図９を参照しながら上記で説明されたように、アップリンク制御チャネル送信を使用してＵＣＩを送信するためのＵＣＩフォーマットを識別することを含み得る。いくつかの例では、ブロック１６０５の動作は、図１０および図１１を参照しながら説明されたように、ＵＣＩフォーマット構成要素によって実施され得る。
【０１４２】
[0157]ブロック１６１０において、方法１６００は、図２〜図９を参照しながら上記で説明されたように、識別されたＵＣＩフォーマットに基づいて、構成されたアップリンク制御チャネルリソースのセットからアップリンク制御チャネルリソースの第１のサブセットを識別することを含み得、構成されたアップリンク制御チャネルリソースのセットは、アップリンク制御チャネル周波数リソースのサブセットのセット、アップリンク制御チャネル時間リソースのサブセットのセット、またはそれらの組合せを含み、ここで、構成されたアップリンク制御チャネルリソースのセットの異なるサブセットは、異なるＵＣＩフォーマットに対応する。いくつかの例では、ブロック１６１０の動作は、図１０および図１１を参照しながら説明されたように、ＵＬリソース構成要素によって実施され得る。
【０１４３】
[0158]ブロック１６１５において、方法１６００は、図２〜図９を参照しながら上記で説明されたように、アップリンク制御チャネルリソースの第１のサブセットを使用してＵＣＩを通信することを含み得る。いくつかの例では、ブロック１６１５の動作は、図１０および図１１を参照しながら説明されたように、ＵＬ通信構成要素によって実施され得る。
【０１４４】
[0159]図１７は、本開示の様々な態様による、共有無線周波数スペクトル帯域中のアップリンク制御チャネル送信のための方法１７００を示すフローチャートを示す。方法１７００の動作は、図１および図２を参照しながら説明されたように、基地局などのデバイスまたはそれの構成要素によって実装され得る。たとえば、方法１７００の動作は、本明細書で説明されるように、基地局ＵＬ送信マネージャによって実施され得る。いくつかの例では、基地局は、以下で説明される機能を実施するようにデバイスの機能要素を制御するためのコードのセットを実行し得る。追加または代替として、基地局は、専用ハードウェアを使用して、以下で説明される機能態様を実施し得る。
【０１４５】
[0160]ブロック１７０５において、方法１７００は、図２〜図９を参照しながら上記で説明されたように、アップリンク制御チャネル送信中でＵＣＩを送信するための異なるＵＣＩフォーマットのセットを識別することを含み得る。いくつかの例では、ブロック１７０５の動作は、図１３および図１４を参照しながら説明されたように、ＵＣＩフォーマット構成要素によって実施され得る。
【０１４６】
[0161]ブロック１７１０において、方法１７００は、図２〜図９を参照しながら上記で説明されたように、異なるＵＣＩフォーマットのセットの各々について、アップリンク制御チャネルリソースのセットからアップリンク制御チャネルリソースの異なるサブセットを構成することを含み得、ここで、アップリンク制御チャネルリソースの各サブセットが、アップリンク制御チャネル周波数リソースのサブセット、アップリンク制御チャネル時間リソースのサブセット、またはそれらの組合せを含む。いくつかの例では、ブロック１７１０の動作は、図１３および図１４を参照しながら説明されたように、ＵＬリソース構成要素によって実施され得る。
【０１４７】
[0162]ブロック１７１５において、方法１７００は、図２〜図９を参照しながら上記で説明されたように、アップリンク制御チャネルリソースの構成されたサブセットを１つまたは複数の受信機に通信することを含み得る。いくつかの例では、ブロック１７１５の動作は、図１３および図１４を参照しながら説明されたように、ＵＬ通信構成要素によって実施され得る。
【０１４８】
[0163]図１８は、本開示の様々な態様による、共有無線周波数スペクトル帯域中のアップリンク制御チャネル送信のための方法１８００を示すフローチャートを示す。方法１８００の動作は、図１および図２を参照しながら説明されたように、基地局などのデバイスまたはそれの構成要素によって実装され得る。たとえば、方法１８００の動作は、本明細書で説明されるように、基地局ＵＬ送信マネージャによって実施され得る。いくつかの例では、基地局は、以下で説明される機能を実施するようにデバイスの機能要素を制御するためのコードのセットを実行し得る。追加または代替として、基地局は、専用ハードウェアを使用して、以下で説明される機能態様を実施し得る。
【０１４９】
[0164]ブロック１８０５において、方法１８００は、図２〜図９を参照しながら上記で説明されたように、アップリンク制御チャネル送信中でＵＣＩを送信するための異なるＵＣＩフォーマットのセットを識別することを含み得る。いくつかの例では、ブロック１８０５の動作は、図１３および図１４を参照しながら説明されたように、ＵＣＩフォーマット構成要素によって実施され得る。
【０１５０】
[0165]ブロック１８１０において、方法１８００は、図２〜図９を参照しながら上記で説明されたように、第１のＵＣＩフォーマットのための第１のＴＴＩのアップリンク制御チャネルリソースの第１のセットと、第２のＵＣＩフォーマットのための第２のＴＴＩのアップリンク制御チャネルリソースの第２のセットとを構成することを含み得る。いくつかの例では、ブロック１８１０の動作は、図１３および図１４を参照しながら説明されたように、ＵＬリソース構成要素によって実施され得る。
【０１５１】
[0166]ブロック１８１５において、方法１８００は、図２〜図９を参照しながら上記で説明されたように、少なくとも、第１のＵＣＩフォーマットを使用して送信すべきである第１のＵＥ、および第２のＵＣＩフォーマットを使用して送信すべきである第２のＵＥを識別することを含み得る。いくつかの例では、ブロック１８１５の動作は、図１３および図１４を参照しながら説明されたように、ＵＥトリガ構成要素によって実施され得る。
【０１５２】
[0167]ブロック１８２０において、方法１８００は、図２〜図９を参照しながら上記で説明されたように、第１のＵＥを第１のＴＴＩ中に送信するようにトリガし、第２のＵＥを第２のＴＴＩ中に送信するようにトリガすることを含み得る。いくつかの例では、ブロック１８２０の動作は、図１３および図１４を参照しながら説明されたように、ＵＥトリガ構成要素によって実施され得る。
【０１５３】
[0168]図１９は、本開示の様々な態様による、共有無線周波数スペクトル帯域中のアップリンク制御チャネル送信のための方法１９００を示すフローチャートを示す。方法１９００の動作は、図１および図２を参照しながら説明されたように、基地局などのデバイスまたはそれの構成要素によって実装され得る。たとえば、方法１９００の動作は、本明細書で説明されるように、基地局ＵＬ送信マネージャによって実施され得る。いくつかの例では、基地局は、以下で説明される機能を実施するようにデバイスの機能要素を制御するためのコードのセットを実行し得る。追加または代替として、基地局は、専用ハードウェアを使用して、以下で説明される機能態様を実施し得る。
【０１５４】
[0169]ブロック１９０５において、方法１９００は、図２〜図９を参照しながら上記で説明されたように、アップリンク制御チャネル送信中でＵＣＩを送信するための異なるＵＣＩフォーマットのセットを識別することを含み得る。いくつかの例では、ブロック１９０５の動作は、図１３および図１４を参照しながら説明されたように、ＵＣＩフォーマット構成要素によって実施され得る。
【０１５５】
[0170]ブロック１９１０において、方法１９００は、図２〜図９を参照しながら上記で説明されたように、ＵＣＩを送信するために第１のＵＣＩフォーマットを使用するように少なくとも第１のＵＥを構成することを含み得る。いくつかの例では、ブロック１９１０の動作は、図１３および図１４を参照しながら説明されたように、ＵＣＩフォーマット構成要素によって実施され得る。
【０１５６】
[0171]ブロック１９１５において、方法１９００は、図２〜図９を参照しながら上記で説明されたように、第１のＵＣＩフォーマットを使用するための構成を第１のＵＥに通信することを含み得る。いくつかの例では、ブロック１９１５の動作は、図１３および図１４を参照しながら説明されたように、ＵＬ通信構成要素によって実施され得る。
【０１５７】
[0172]これらの方法は可能な実装形態を表すこと、ならびに動作およびステップは、他の実装形態が可能であるように、並べ替えられるかまたは場合によっては変更され得ることに留意されたい。いくつかの例では、図１６〜図１９を参照しながら説明された方法１６００、１７００、１８００、または１９００のうちの２つまたはそれ以上からの態様が組み合わせられ得る。方法１６００〜１９００は例示的な実装形態にすぎないこと、および方法１６００〜１９００の動作は、他の実装形態が可能であるように、並べ替えられるかまたは場合によっては変更され得ることに留意されたい。たとえば、方法の各々の態様は、他の方法のステップまたは態様、あるいは本明細書で説明される他のステップまたは技法を含み得る。したがって、本開示の態様は、共有無線周波数スペクトル帯域中のアップリンク制御チャネル送信を提供し得る。
【０１５８】
[0173]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示された原理および新規の特徴に合致する最も広い範囲を与えられるべきである。
【０１５９】
[0174]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶されるか、あるいは非一時的コンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」または「１つまたは複数の」などの句で終わる項目の列挙）中で使用される「または」は、たとえば、項目の列挙「のうちの少なくとも１つ」を指す句が、単一のメンバーを含む、それらの項目の任意の組合せを指すような包括的列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃ、ならびに複数の同じ要素をもつ任意の組合せ（たとえば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、Ｂ、およびＣの任意の他の順序）を包含するものとする。
【０１６０】
[0175]本明細書で使用される「に基づいて」という句は、条件の閉集合への参照として解釈されないものとする。たとえば、「条件Ａに基づいて」と記述された例示的な特徴は、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
【０１６１】
[0176]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１６２】
[0177]本明細書で説明される技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、（モバイル通信用グローバルシステム（ＧＳＭ（登録商標）：Global System for Mobile communications））などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunications System））の一部である。３ＧＰＰ  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上述のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１６３】
[0178]本明細書で説明されるネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る３ＧＰＰ用語である。
【０１６４】
[0179]基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。いくつかの場合には、異なるカバレージエリアは異なる通信技術に関連し得る。いくつかの場合には、ある通信技術のためのカバレージエリアは、別の技術に関連するカバレージエリアと重複し得る。異なる技術は、同じ基地局に、または異なる基地局に関連し得る。
【０１６５】
[0180]マクロセルは、概して、比較的大きい地理的エリア（たとえば、半径数キロメートル）をカバーし、サービスに加入しているＵＥによるネットワークプロバイダとの無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルとフェムトセルとマイクロセルとを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア（ＣＣ））をサポートし得る。ＵＥは、マクロｅＮＢ、スモールセルｅＮＢ、リレー基地局などを含む、様々なタイプの基地局およびネットワーク機器と通信することが可能であり得る。
【０１６６】
[0181]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１６７】
[0182]本明細書で説明されるＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１６８】
[0183]したがって、本開示の態様は、共有無線周波数スペクトル帯域中のアップリンク制御チャネル送信を提供し得る。これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。
【０１６９】
[0184]本明細書の開示に関して説明された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明される機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。したがって、本明細書で説明される機能は、１つまたは複数の他の処理ユニット（またはコア）によって、少なくとも１つの集積回路（ＩＣ）上で実施され得る。様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【図１】
2019516285.tif 000003
【図２】
2019516285.tif 000004
【図３】
2019516285.tif 000005
【図４】
2019516285.tif 000006
【図５】
2019516285.tif 000007
【図６】
2019516285.tif 000008
【図７】
2019516285.tif 000009
【図８】
2019516285.tif 000010
【図９】
2019516285.tif 000011
【図１０】
2019516285.tif 000012
【図１１】
2019516285.tif 000013
【図１２】
2019516285.tif 000014
【図１３】
2019516285.tif 000015
【図１４】
2019516285.tif 000016
【図１５】
2019516285.tif 000017
【図１６】
2019516285.tif 000018
【図１７】
2019516285.tif 000019
【図１８】
2019516285.tif 000020
【図１９】
2019516285.tif 000021
【国際調査報告】
2019516285.tif 000022
2019516285.tif 000023
2019516285.tif 000024
2019516285.tif 000025
2019516285.tif 000026
2019516285.tif 000027